(57)【要約】  錠を分解することなしに錠の作動鍵を変更するのに適する変更可能な錠アセンブリ。このアセンブリは、中にボアを有するハウジングと、ボアの中に回転自在に取り付けられているプラグとを含んでいる。プラグは、縦軸線と鍵穴とを含んでいる。鍵穴は、少なくとも第１のユーザ鍵と第２のユーザ鍵とを受け入れるようにされている。錠は、第１のポジションと第２のポジションとの間で錠の中で動くことのできる変更部材をさらに含んでいる。変更部材は、単に第２の鍵の操作のみに応えて動くことができる。従って、変更部材が第１のポジションにあるときには、第１の鍵は錠を作動させ、変更部材が第２のポジションにあるときには、第１の鍵は錠を作動させない。また、錠アセンブリは、変更溝に挿入されたときに変更球を第２のポジションから第１のポジションに動かすことができる変更具を採用することもできる。
2006528739.tif 000002
【特許請求の範囲】
【請求項１】
ユーザ鍵のセットにおける別の鍵によって作動するように、錠を分解することなく再構成することのできる変更可能な錠アセンブリであって、
ａ）内面を有するほぼ円筒状のボアと、前記ボア面と交差する複数のほぼ円筒状のドライバ室とを有するハウジングと、
ｂ）それぞれが、１つのドライバ室の中に配置されており中で動くことができ、前記ボア面の方に押し付けられている、複数のほぼ円筒状のドライバと、
ｃ）ほぼ円筒状の周囲を有し、前記ボア面と前記プラグ周囲との境界面にせん断線が形成されるように前記ボアの中に回転自在に取り付けられている、プラグであって、
１）縦軸線と、
２）前記周囲と交差しかつ前記縦軸線に平行な鍵穴であって、鍵のサブセットから選択される鍵を受け入れるように構成されており、前記鍵のサブセットが、第１の錠構成においては前記錠を作動させるが第２の錠構成においては前記錠を作動させない第１の輪郭縁部を有する第１の鍵と、前記第２の錠構成においては前記錠を作動させるが前記第１の錠構成においては前記錠を作動させない第２の輪郭縁部を有する第２の鍵と、を少なくとも含んでおり、前記第１の輪郭縁部および前記第２の輪郭縁部が、異なって構成されている第１の輪郭位置と第２の輪郭位置とを少なくとも有する、前記鍵穴と、
３）前記周囲および前記鍵穴と交差しており、前記縦軸線にほぼ直交する複数のほぼ円筒状のタンブラ室であって、それぞれが、前記プラグが前記ハウジングに対する第１の回転ポジションにあるときにドライバ室と整列してピン室を形成する、前記複数のほぼ円筒状のタンブラ室と、
４）前記周囲と交差している複数の保持空洞であって、それぞれが、対応するタンブラ室から隔てられており、前記プラグが前記ハウジングに対する第２の回転ポジションにあるときに、対応するドライバ室と整列する、前記複数の保持空洞と、
５）前記縦軸線に平行に形成されている変更具溝であって、前記プラグの前面から延びており前記保持空洞のそれぞれの一部と交差している、前記変更具溝と、
をさらに有する、前記プラグと、
ｄ）それぞれが１つのタンブラ室の中に配置されており中で動くことができる複数のタンブラと、
ｅ）それぞれが１つのピン室に関連付けられている複数の錠構成変更球であって、それぞれが、前記ピン室の中、前記ドライバと前記タンブラとの間の第１のポジションと、前記保持空洞における第２のポジションとを有し、変更具が前記変更具溝に差し込まれたときに、前記保持空洞における前記第２のポジションから動くことができる、前記複数の錠構成変更球と、
を備えている、変更可能な錠アセンブリ。
【請求項２】
前記第１の鍵の前記第１の輪郭位置が下がった位置であり、かつ、前記第１の鍵の前記第２の輪郭位置が持ち上がった位置であり、
前記錠が前記第１の鍵によって作動するように構成されているときに、前記第１の輪郭位置に対応する第１の変更球がそのピン室に位置しており、前記第２の輪郭位置に対応する第２の変更球がその保持空洞に位置しており、
前記第２の鍵の前記第１の輪郭位置が持ち上がった位置であり、かつ、前記第２の鍵の前記第２の輪郭位置が下がった位置であり、
前記第２の鍵が前記鍵穴に差し込まれたときに、前記第２の輪郭位置に対応する前記ピン室に配置されている前記ドライバが、前記せん断線をまたいでおり、これによって、前記プラグが前記ハウジングの中で回転することができず、従って、前記第２の鍵が前記錠を作動させることができない、
請求項１に記載の変更可能な錠アセンブリ。
【請求項３】
作動鍵が前記鍵穴の中に配置されており、かつ、前記プラグが前記第２の回転ポジションにあり、かつ、前記変更具が前記変更具溝の中に配置されているとき、第２のポジションにある変更球が対応するドライバ室に移動している、請求項１に記載の変更可能な錠アセンブリ。
【請求項４】
変更可能な錠アセンブリであって、
ａ）中にボアを有するハウジングと、
ｂ）前記ボアの中に回転自在に取り付けられているプラグであって、
ｉ）縦軸線と、
ｉｉ）前記縦軸線に平行であり、ユーザ鍵のサブセットから選択される鍵を受け入れるように構成されている、第１の通路であって、前記ユーザ鍵のサブセットが、それぞれが少なくとも１つの輪郭位置を有する第１の鍵と第２の鍵とを少なくとも備えている、前記第１の通路と、
ｉｉｉ）変更具を受け入れるように前記プラグに形成されている第２の通路と、
を有する、前記プラグと、
ｃ）前記プラグにおける第１のポジションと前記プラグにおける第２のポジションとの間で前記錠の中で動くことのできる少なくとも１つの変更部材であって、前記第２のユーザ鍵によって作動するように前記錠を再構成する目的で、単に前記第２のユーザ鍵を前記第１の通路に差し込んで前記第２のユーザ鍵を操作することによる前記プラグの回転のみに応えて、前記第１のポジションから前記第２のポジションに動くことができる、前記変更部材と、
を備えており、
前記変更部材が前記第１のポジションにあるときには、前記第１のユーザ鍵が前記錠を作動させ、前記変更部材が前記第２のポジションにあるときには、前記第１のユーザ鍵が前記錠を作動させず、
前記第２の通路が前記プラグにおける前記第２のポジションの一部と交差している、
変更可能な錠アセンブリ。
【請求項５】
変更可能な錠アセンブリであって、
ａ）中にボアを有するハウジングと、
ｂ）前記ボアの中に回転自在に取り付けられているプラグであって、縦軸線と、前記縦軸線に平行であり、ユーザ鍵のサブセットから選択される鍵を受け入れるように構成されている、第１の通路であって、前記ユーザ鍵のサブセットが、それぞれが少なくとも１つの輪郭位置を有する第１の鍵と第２の鍵と第３の鍵とを少なくとも備えている、前記第１の通路と、を有する、前記プラグと、
ｃ）第１の変更部材と第２の変更部材とを少なくとも備えている複数の変更部材であって、それぞれが、前記プラグにおける第１のポジションと前記プラグにおける保持空洞における第２のポジションとの間で前記錠の中で動くことができ、前記第１の変更部材が、単に前記第２のユーザ鍵を前記第１の通路に差し込んで前記第２のユーザ鍵を操作することによる前記プラグの回転のみに応えて、前記第１のポジションから前記第２のポジションに動くことができ、前記第２の変更部材が、単に前記第３のユーザ鍵を前記第１の通路に差し込んで前記第３のユーザ鍵を操作することによる前記プラグの回転のみに応えて、第１のポジションから第２のポジションに動くことができる、前記変更部材と、
を備えており、
前記第１の変更部材が前記第１のポジションにあるときには、前記第１のユーザ鍵が前記錠を作動させ、
前記第１の変更部材が前記第２のポジションにあり、かつ前記第２の変更部材が前記第１のポジションにあるときには、前記第１のユーザ鍵が前記錠を作動させないが、前記第２のユーザ鍵が前記錠を作動させ、
前記第１および第２の変更部材がそれぞれの第２のポジションにあるときには、前記第
１のユーザ鍵および前記第２のユーザ鍵が前記錠を作動させることができないが、前記第３の鍵が前記錠を作動させることができる、
変更可能な錠アセンブリ。
【請求項６】
前記変更具が前記第２の通路に配置されていないときには、前記変更部材が前記保持空洞の中に位置することができ、
前記変更具が前記第２の通路に配置されているときには、前記変更部材が前記保持空洞の中に位置することがでず、
前記変更具が前記第２の通路に配置されていないときには、前記変更部材が前記第１のポジションから前記第２のポジションに動くことができ、前記変更具が前記第２の通路に配置されているときには、前記変更部材が前記保持空洞から動く、
請求項４に記載の錠アセンブリ。
【請求項７】
前記複数の輪郭位置が、持ち上がった輪郭位置と下がった輪郭位置とを含んでおり、
前記複数の輪郭位置のうちの２つの輪郭位置が持ち上がった輪郭位置であり、前記輪郭位置のうちの残りの輪郭位置が下がった輪郭位置である、
請求項５に記載の錠アセンブリ。
【請求項８】
前記第１の鍵が第１の上縁輪郭を有し、かつ前記第２の鍵が第２の上縁輪郭を有し、前記第１の上縁輪郭が、前記第２の上縁輪郭の前記２つの持ち上がった輪郭位置に対応する少なくとも１つの下がった輪郭位置を有する、請求項７に記載の錠アセンブリ。
【請求項９】
前記変更部材が前記第１のポジションにあるときに前記錠において前記変更部材に隣接して配置されているシム、をさらに備えている、請求項６に記載の錠アセンブリであって、
前記シムが第１の直径を有し、前記保持空洞が第２の直径を有し、前記第１の直径が前記第２の直径より大きい、
錠アセンブリ。
【請求項１０】
錠を再プログラムする方法であって、
ａ）適合可能な錠アセンブリを提供するステップであって、前記適合可能な錠アセンブリが、中にボアを有するハウジングと、前記ボアの中に回転自在に取り付けられており、縦軸線を有するプラグであって、前記縦軸線に平行であり、鍵のサブセットから選択される鍵を受け入れるようにされている、第１の通路、をさらに含んでいる、前記プラグと、前記プラグにおける第１のポジションに位置している少なくとも第１および第２の変更部材であって、それぞれが、前記第１のポジションと前記プラグにおける第２のポジションとの間で動くことのできる、前記少なくとも第１および第２の変更部材と、を備えている、前記ステップと、
ｂ）鍵のサブセットを提供するステップであって、前記鍵のサブセットが、第１のユーザ鍵と第２のユーザ鍵と第３のユーザ鍵とを少なくとも含んでおり、前記ユーザ鍵のそれぞれが異なる上部輪郭を備えており、前記第１の鍵が前記錠を作動させることができる、前記ステップと、
ｃ）前記第２のユーザ鍵を前記第１の通路に差し込むステップと、
ｄ）前記第１の鍵が前記錠を作動させることができず、前記第２のユーザ鍵が前記錠を作動させることができるように、単に前記第２のユーザ鍵による前記プラグの回転のみに応えて、前記第１の変更部材を前記第１のポジションから前記第２のポジションに動かすステップと、
ｅ）前記第２のユーザ鍵を抜き、前記第３の鍵を前記第１の通路に差し込むステップと、
ｆ）前記第１および第２のユーザ鍵が前記錠を作動させることができず、前記第３のユ
ーザ鍵が前記錠を作動させることができるように、単に前記第３のユーザ鍵による前記プラグの回転のみに応えて、前記第２の変更部材を前記第１のポジションから前記第２のポジションに動かすステップと、
を含んでいる、方法。
【請求項１１】
前記プラグが、前記プラグに配置されている第２の通路をさらに含んでおり、前記第２の通路が、前記第２のポジションに前記変更部材を受け入れるようにされている複数の保持空洞と交差しており、前記第２の通路が、変更具を受け入れるようにされている、請求項１０に記載の方法であって、
前記第２の通路に前記変更具を差し込んで、前記変更部材を前記第２のポジションから動かすステップと、前記ハウジングの中で前記プラグを回転させて、前記変更部材を前記第１のポジションに動かすステップと、その後、前記変更具を前記第２の通路から抜くステップと、
を含んでいる、方法。
【請求項１２】
各保持空洞が、前記ドライバの直径よりも小さいサイズの開口を有しており、
前記プラグがその第２の回転ポジションにあるとき、前記ドライバが前記開口を通って前記保持空洞の中に入ることができない、
請求項１に記載の変更可能な錠アセンブリ。
【請求項１３】
前記錠が作動している間、前記変更具が前記錠とは別の場所にある、請求項１に記載の変更可能な錠アセンブリ。
【請求項１４】
前記錠をリセットする目的と、前記鍵のサブセットにおける任意の鍵用に前記錠を再構成する目的とに、前記同一の変更具を使用することができる、請求項１に記載の変更可能な錠アセンブリ。
【請求項１５】
前記鍵穴に差し込まれたときに、タンブラ室における変更球を前記せん断線より上に持ち上げ、かつ、錠を作動させるときに、前記プラグがその第２の回転ポジションに回転するときに前記変更球を各保持空洞に動かす、ように構成されている輪郭縁部を有するプログラム鍵、
をさらに備えている、請求項１に記載の変更可能な錠アセンブリであって、
前記錠を前記プログラム鍵によって作動させることはできるが、前記ユーザ鍵によっては作動させることができない、
変更可能な錠アセンブリ。
【請求項１６】
前記変更具が前記変更具溝の中に配置されているときには、前記ユーザ鍵によって作動するように前記錠を構成することができない、請求項１に記載の変更可能な錠アセンブリ。
【請求項１７】
前記変更球のすべてがそれぞれのピン室に位置しているときにのみ、前記錠を再構成することができる、請求項１に記載の変更可能な錠アセンブリ。
【請求項１８】
前記変更部材がその第１のポジションにあるときに、各タンブラピンと前記変更部材との間に配置されている複数のマスターシムであって、前記マスターシムが第１の直径を有し、前記保持空洞が第２の直径を有し、前記第１の直径が前記第２の直径より大きい、前記マスターシムと、
前記複数のマスターピンを前記せん断線より上に持ち上げるように構成されている輪郭縁部を有する親鍵であって、前記マスターピンの上に位置している変更球が、前記第２の回転ポジションにおいて前記保持空洞の中に移動することができない、前記親鍵と、
をさらに備えている、請求項１に記載の変更可能な錠アセンブリ。
【発明の詳細な説明】
【技術分野】
【０００１】
本発明は、シリンダ錠に関し、より詳細には、錠が最初に適合していた鍵とは異なる構成を有する鍵を差し込んだときに作動するように適合させることができる、プログラム可能なシリンダ錠、に関する。
【背景技術】
【０００２】
会社、アパート／マンション、ホテル、学校など多くの組織においては、一般的に、その特定の組織に錠をカスタマイズすることが望ましい。鍵および錠をカスタマイズする一般的な方法は２種類ある。第一の方法は、特定の上縁輪郭を持つ鍵によって組織の錠が作動するように、錠の中のドライバおよびタンブラを再構成することである。第二の方法は、固有のパターンの縦輪郭が側面に形成されている鍵を受け入れるように、錠の鍵穴を構成することである。これらの方法によって生まれる排他性の目的は、認められていない人が組織に立ち入ることを防止することである。第二の方法によって形成された鍵および錠が使用されているときには、その錠を開錠するためには、その錠に適合する上縁輪郭を持つ鍵を保持しているだけでは不十分であり、溝若しくは隆起、またはその両方による縦輪郭も適切なものでなければならない。
【０００３】
従来の標準的な錠は、一般的に、中に円筒状のボアを持つハウジングを含んでいる。ほぼ円筒状の細長いプラグが、回転自在にボアの中に取り付けられている。複数の円筒状の開口または穴がハウジングを貫いて延びており、プラグにおける対応する円筒状の穴に整列させることができる。これらの穴の中には、対になっているドライバおよびタンブラのセットが配置されており（すなわち、ドライバがハウジングにおける穴の中、タンブラがプラグにおける穴の中）、これらは、錠に差し込まれる主鍵に応じてプラグが回転することができるような方式で、プラグおよびハウジングの中で動くことができる。さらに、錠のこのような配置構成および構造によって、正しくない主鍵が錠に差し込まれている、または主鍵が錠に差し込まれていないときには、これらの一連のドライバまたはタンブラの１つ以上がプラグとハウジングの間の境界面に位置し、プラグとハウジングの間の相対的な回転が阻止される。しかしながら、正しい鍵が差し込まれているときには、ドライバおよびタンブラのセットと、プラグと、ハウジングの相対的な位置関係は、開錠ポジションを妨害することなくプラグを回転させることができるように、ハウジングにおける穴の中にドライバが実質的に完全に収まり、かつ、プラグにおける穴の中にタンブラが実質的に完全に収まっている。
【０００４】
また、錠または一連の錠の多くは、２種類の鍵、すなわち子鍵および親鍵を含んでいる。一般的には、子鍵のそれぞれは、錠のサブセット（ｓｕｂｓｅｔ）のうち特定の１つの錠を開錠するのみであるのに対して、親鍵は、サブセットにおける錠すべてを開錠することができる。時間が経過するにつれて、１本以上の子鍵の管理が失われることによって、組織のセキュリティが脅かされることがある。例えば、アパート／マンション、ホテル、あるいはモーテルにおいて、賃借人あるいは宿泊客が、不注意に、または意図的に、鍵を保持したまま退去またはチェックアウトすることがある。この状況が起こると、以降の居住者または宿泊客は、人身および財産の安全性を確保することができない。従って、１本または一連の新しい鍵が受け入れられるように、錠を容易かつ迅速に再プログラムすることは、望ましいであろう。
【０００５】
容易に変更することのできる錠は、錠に合う鍵を複数の従業員が所持している会社においても望ましい。このような状況においては、従業員が鍵を所持したままで解雇される、または退職することがある。さらに、従業員が鍵を紛失することがあり、これにより、施
錠されているエリアのセキュリティが疑わしくなる。容易に変更することのできる錠は、個人の安全性の点においても望ましい。そのような状況の一例は、学校であり、望ましくない人物あるいは危険な人物が学校のセキュリティを破った場合に、教室内の生徒の安全性を確保し、廊下と安全に隔離することを目的として、教師もしくは管理者、またはその両方が、教室のドアの錠の構成を迅速に変更したいことがある。
【０００６】
鍵が紛失する、あるいは鍵が不都合に所持されているときの一般的な対処は、長さの異なるタンブラに対応する新しい上縁輪郭を持つ鍵が必要となるように、紛失した鍵が合う錠を変更することである。一般的には、鍵の側面の縦輪郭に向き合う鍵穴の縦内壁の形状は変更されることはなく、なぜなら、そのような交換のコストが一般に極めて高いためである。
【０００７】
標準的なシリンダ錠におけるドライバおよびタンブラの構成を交換する方法として、先行技術における一般的に知られている方法がいくつかある。これらの方法のいくつかでは、錠からドライバおよびタンブラを取り外し、ドライバおよびタンブラの別のセットに交換する。しかしながら、先行技術のこれらの錠交換方法には、多くの欠点がある。第一に、この方法は、手間と時間がかかる。第二に、この方法では、一般的に鍵屋の存在が必要である。第三に、この方法では、実際の錠構造を分解して再び組み立てることに加えて、ドアの錠を取り外して交換することが要求される。
【０００８】
従って、設計または形状の異なる鍵が受け入れられるようにドライバおよびタンブラの配置を迅速に変更することのできる錠を提供および構築することは、望ましいであろう。さらに、錠からプラグを取り外す、もしくは、錠構造のその他の分解を行う、またはその両方を必要とすることなく、作動鍵を変更することのできる錠を提供することは、望ましいであろう。さらに、そのような変更を、先行技術の錠において現在利用できる方法よりも迅速に実施することのできる錠を提供することは、望ましいであろう。
【発明の開示】
【課題を解決するための手段】
【０００９】
発明の概要
本発明は、変更可能な錠アセンブリであって、ａ）中にボアを有するハウジングと、ｂ）ボアの中に回転自在に取り付けられているプラグであって、縦軸線と、縦軸線に平行であり、鍵のサブセットから選択される鍵を受け入れるように構成されている、第１の通路であって、ユーザ鍵のサブセットが、それぞれが少なくとも１つの輪郭位置を有する第１の鍵と第２の鍵とを少なくとも備えている、第１の通路と、を有する、プラグと、ｃ）錠における第１のポジションとプラグにおける第２のポジションとの間で錠の中で動くことのできる変更部材であって、単に第２の鍵を操作することによるプラグの回転のみに応えて第１のポジションから第２のポジションに動くことができる、変更部材と、を備えており、変更部材が第１のポジションにあるときには、第１の鍵が錠を作動させ、変更部材が第２のポジションにあるときには、第１の鍵が錠を作動させない、変更可能な錠アセンブリ、に関する。
【００１０】
また、本発明は、ユーザ鍵のセットにおける別の鍵によって作動するように、錠を分解することなく再構成することのできる変更可能な錠アセンブリであって、ａ）内面を有するほぼ円筒状のボアと、ボア面と交差する複数のほぼ円筒状のドライバ室とを有するハウジングと、ｂ）それぞれが、１つのドライバ室の中に配置されており中で動くことができ、ボア面の方に押し付けられている、複数のほぼ円筒状のドライバと、ｃ）ほぼ円筒状の周囲を有し、ボア面とプラグ周囲との境界面にせん断線が形成されるようにボアの中に回転自在に取り付けられている、プラグであって、縦軸線と、周囲と交差しかつ縦軸線に平行な鍵穴であって、鍵のサブセットから選択される鍵を受け入れるように構成されており
、鍵のサブセットが、第１の錠構成においては錠を作動させるが第２の錠構成においては錠を作動させない第１の輪郭縁部を有する第１の鍵と、第２の錠構成においては錠を作動させるが第１の錠構成においては錠を作動させない第２の輪郭縁部を有する第２の鍵と、を少なくとも含んでおり、第１の輪郭縁部および第２の輪郭縁部が、異なって構成されている第１の輪郭位置と第２の輪郭位置とを少なくとも有する、鍵穴と、周囲および鍵穴と交差しており、縦軸線にほぼ直交する複数のほぼ円筒状のタンブラ室であって、それぞれが、プラグがハウジングに対する第１の回転ポジションにあるときにドライバ室と整列してピン室を形成する、複数のほぼ円筒状のタンブラ室と、周囲と交差している複数の保持空洞であって、それぞれが、対応するタンブラ室から隔てられており、プラグがハウジングに対する第２の回転ポジションにあるときに、対応するドライバ室と整列する、複数の保持空洞と、縦軸線に平行に形成されている変更具溝であって、プラグの前面から延びており保持空洞のそれぞれの一部と交差している、変更具溝と、をさらに有する、プラグと、ｄ）それぞれが１つのタンブラ室の中に配置されおり中で動くことができる複数のタンブラと、ｅ）複数の錠構成変更球であって、それぞれが、１つのピン室に関連付けられており、ピン室の中、ドライバとタンブラとの間の第１のポジションと、保持空洞における第２のポジションとを有し、変更具が変更具溝に差し込まれたときに、保持空洞における第２のポジションから動くことができる、複数の錠構成変更球と、を備えている、変更可能な錠アセンブリ、に関する。
【００１１】
さらに、本発明は、変更可能な錠アセンブリであって、ａ）中にボアを有するハウジングと、ｂ）ボアの中に回転自在に取り付けられているプラグであって、ｉ）縦軸線と、ｉｉ）縦軸線に平行であり、鍵のサブセットから選択される鍵を受け入れるように構成されている、第１の通路であって、鍵のサブセットが、それぞれが少なくとも１つの輪郭位置を有する第１の鍵と第２の鍵とを少なくとも備えている、第１の通路と、ｉｉｉ）変更具を受け入れるようにプラグに形成されている第２の通路と、を有する、プラグと、ｃ）錠における第１のポジションとプラグにおける第２のポジションとの間で錠の中で動くことのできる変更部材であって、単に第２の鍵を操作することによるプラグの回転のみに応えて第１のポジションから第２のポジションに動くことができる、変更部材と、を備えており、変更部材が第１のポジションにあるときには、第１の鍵が錠を作動させ、変更部材が第２のポジションにあるときには、第１の鍵が錠を作動させない、変更可能な錠アセンブリ、に関する。
【００１２】
本発明は、変更可能な錠アセンブリであって、ａ）中にボアを有するハウジングと、ｂ）ボアの中に回転自在に取り付けられており、縦軸線を有するプラグであって、縦軸線に平行であり、少なくとも第１の鍵と第２の鍵とを受け入れるようにされている、第１の通路、をさらに含んでいる、プラグと、ｃ）ピン室の第１のサブセットおよび第２のサブセットであって、ピン室の第１のサブセットの各ピン室が、縦軸線に垂直な第１の平面内に存在し、ピン室の第２のサブセットの各ピン室が、縦軸線に垂直な第２の平面内に存在し、第１の平面と第２の平面とが同一平面ではない、ピン室の第１のサブセットおよび第２のサブセットと、を備えている、変更可能な錠アセンブリ、にさらに関する。
【００１３】
また、本発明は、変更可能な錠アセンブリであって、ａ）内面を有するほぼ円筒状のボアと、ボア面と交差する複数のほぼ円筒状のドライバ室とを有するハウジングと、ｂ）複数のほぼ円筒状のドライバであって、それぞれが、１つのドライバ室によって受け入れられており中で動くことができ、ボア面の方に押し付けられている、複数のほぼ円筒状のドライバと、ｃ）ほぼ円筒状の周囲を有し、ボア面と周囲との境界面にせん断線が形成されるようにボアの中に回転自在に取り付けられている、プラグであって、１）縦軸線と、２）縦軸線に平行に形成されている鍵穴であり、鍵のサブセットから選択される鍵を受け入れるように構成されており、鍵のサブセットが、第１の鍵と第２の鍵とを少なくとも含んでおり、第１の鍵と第２の鍵のそれぞれが、異なって構成されている少なくとも１つの輪
郭位置を有する縁部を有する、鍵穴と、３）周囲および鍵穴と交差しており、縦軸線にほぼ直交する複数のほぼ円筒状のタンブラ室であって、ドライバ室の数に等しく、プラグがハウジングに対する第１のポジションにあるときにドライバ室と整列してピン室を形成し、従って、プラグが第１のポジションにあり、かつドライバの少なくとも１つがせん断線と交差するように押し付けられているときに、プラグがハウジングの中で回転することができない、複数のほぼ円筒状のタンブラ室と、４）周囲と交差しており、対応するタンブラ室から隔てられている複数の保持空洞であって、プラグがハウジングに対する第２の回転ポジションにあるときに、対応するドライバ室と整列する、複数の保持空洞と、をさらに有する、プラグと、ｄ）それぞれが１つのタンブラ室によって受け入れられており中で動くことができる複数のタンブラと、ｅ）ピン室のそれぞれの中、ドライバとタンブラとの間に少なくとも１つ位置している、複数の錠構成変更部材であって、変更部材の少なくとも１つが、変更部材がドライバ室の中に完全に収まり、プラグが第１のポジションから第２のポジションに回転したときに錠において保持空洞の１つに動くことができるように、第２の鍵が鍵穴に差し込まれたときに少なくとも１つの輪郭位置に応える、複数の錠構成変更部材と、を備えており、ｆ）プラグが、（１）１つの変更部材がタンブラ室の中にあるときには第１の鍵、（２）変更部材が１つの保持空洞の中にあるときには第２の鍵、が差し込まれた後に回転することができる、変更可能な錠アセンブリ、に関する。
【００１４】
また、本発明は、錠を再プログラムする方法であって、ａ）適合可能な錠アセンブリを提供するステップであって、適合可能な錠アセンブリが、中にボアを有するハウジングと、ボアの中に回転自在に取り付けられており、縦軸線を有するプラグであって、縦軸線に平行であり、鍵のサブセットから選択される鍵を受け入れるようにされている、第１のオリフィスであって、鍵のサブセットが少なくとも第１の鍵と第２の鍵とを備えている、第１のオリフィスと、をさらに含んでいる、プラグと、錠における第１のポジションとプラグにおける第２のポジションとの間で錠の中で動くことのできる変更部材であって、単に第２の鍵を操作することによるプラグの回転のみに応えて第１のポジションから第２のポジションに動くことができる、変更部材と、を備えており、変更部材が第１のポジションにあるときには、第１の鍵が錠を作動させ、変更部材が第２のポジションにあるときには、第１の鍵が錠を作動させない、ステップと、ｂ）鍵のサブセットを提供するステップであって、鍵のサブセットが、少なくとも第１の鍵と第２の鍵とを含んでおり、第１の鍵と第２の鍵のそれぞれが上部輪郭を含んでおり、第２の鍵が、第１の鍵とは異なる上部輪郭を有し、第１の鍵が、錠を作動させることができる、ステップと、ｃ）第２の鍵を第１のオリフィスに差し込むステップと、ｄ）第１の鍵が錠を作動させることができないように、変更部材を第１のポジションから第２のポジションに動かすステップと、を含んでいる、方法、を提供する。
【００１５】
また、本発明は、標準の錠のプラグを機械加工することによって変更可能な錠のプラグを作成する方法であって、ａ）鍵穴と、軸方向の中心線と、円周面とを有する標準の錠のプラグを用意するステップであって、標準のプラグが、軸方向の中心線に平行に延びる第１の線に沿った、円周面を貫いて延びている複数のタンブラ室、をさらに有しており、各タンブラ室が、鍵穴の中に延在しており、各タンブラ室が、隣接するタンブラ室から第１の距離だけ隔てられている中心線を有する、ステップと、ｂ）軸方向の中心線に平行に延びる第２の線に沿って、標準のプラグに円周面を貫いて複数の保持空洞を機械加工するステップであって、各保持空洞が、プラグ本体の中に延在しており、対応するタンブラ室から円周面に沿ってある弧角だけ半径方向に隔てられている、ステップと、を含んでいる方法、に関する。
【００１６】
また、本発明は、さまざまな変更錠のプラグを機械加工する方法であって、ａ）鍵穴と、軸方向の中心線と、円周面とを有するプラグ本体を用意するステップと、ｂ）軸方向の中心線に平行に延びる第１の線に沿って、円周面を貫いて複数のタンブラ室を機械加工す
るステップであって、各タンブラ室が、鍵穴の中に延在しており、各タンブラ室が、隣接するタンブラ室から第１の距離だけ隔てられている中心線を有する、ステップと、ｃ）軸方向の中心線に平行に延びる第２の線に沿って、円周面を貫いて複数の保持空洞を機械加工するステップであって、保持空洞が、プラグ本体の中に延在しており、各保持空洞が、対応するタンブラ室から円周面に沿ってある弧角だけ半径方向に隔てられている、ステップと、ｄ）第２の線に沿って、円周面に溝を機械加工するステップと、を含んでいる方法、に関する。
【００１７】
また、本発明は、錠一式（ｌｏｃｋ  ｋｉｔ）であって、Ａ）第１の錠構成においては錠を作動させるが第２の錠構成においては錠を作動させない、第１の輪郭縁部を有する第１の鍵と、第２の錠構成においては錠を作動させるが第１の錠構成においては錠を作動させない、第２の輪郭縁部を有する第２の鍵と、を少なくとも含んでいる鍵のサブセットであって、第１の輪郭縁部および第２の輪郭縁部が、異なって構成されている第１の輪郭位置と第２の輪郭位置とを少なくとも有する、鍵のサブセットと、Ｂ）変更具と、Ｃ）錠を分解することなく異なる鍵によって作動するように再構成することのできる変更可能な錠アセンブリであって、ａ）内面を有するほぼ円筒状のボアと、ボア面と交差する複数のほぼ円筒状のドライバ室とを有するハウジングと、ｂ）複数のほぼ円筒状のドライバであって、それぞれが、１つのドライバ室の中に配置されており中で動くことができ、ボア面の方に押し付けられている、複数のほぼ円筒状のドライバと、ｃ）ほぼ円筒状の周囲を有し、ボア面とプラグ周囲との境界面にせん断線が形成されるようにボアの中に回転自在に取り付けられている、プラグであって、１）縦軸線と、２）周囲と交差しかつ縦軸線に平行な鍵穴であって、鍵のサブセットから選択される鍵を受け入れるように構成されている、鍵穴と、３）周囲および鍵穴と交差しており、縦軸線にほぼ直交する複数のほぼ円筒状のタンブラ室であって、それぞれが、プラグがハウジングに対する第１の回転ポジションにあるときにドライバ室と整列してピン室を形成する、複数のほぼ円筒状のタンブラ室と、４）周囲と交差している複数の保持空洞であって、それぞれが、対応するタンブラ室から隔てられており、プラグがハウジングに対する第２の回転ポジションにあるときに、対応するドライバ室と整列する、複数の保持空洞と、５）縦軸線に平行に形成されている変更具溝であって、プラグの前面から延びており保持空洞のそれぞれの一部と交差している、変更具溝と、をさらに有する、プラグと、ｄ）それぞれが１つのタンブラ室の中に配置されており中で動くことができる複数のタンブラと、ｅ）複数の錠構成変更球であって、それぞれが、１つのピン室に関連付けられており、ピン室の中、ドライバとタンブラとの間の第１のポジションと、保持空洞における第２のポジションとを有し、変更具が変更具溝に差し込まれたときに、保持空洞における第２のポジションから動くことのできる、複数の錠構成変更球と、を備えている、変更可能な錠アセンブリと、Ｄ）使用説明書と、Ｅ）鍵と、錠アセンブリと、変更具と、説明書とを保管する手段、とを備えている錠一式、に関する。
【００１８】
本発明は、［背景技術］に記載した錠の問題を解決し、欠点を排除する。本発明では、このことは、適合可能または変更可能な錠と、第１の鍵とは異なる上部輪郭を持つ第２の鍵が受け入れられるように錠を再プログラムするための、錠の使用方法、の両方を提供することによって達成される。本発明は、錠のハウジングからプラグを取り外すことなしに、かつ、錠アセンブリを分解することなしに、設計または形状の異なる１本以上の鍵が受け入れられるように、ドライバおよびタンブラの配置を迅速に変更することのできる錠を提供する。本発明は、錠からプラグを取り外すことなしに、かつ、錠アセンブリのその他の分解を行うことなしに、作動鍵を変更することのできる錠を提供する。
【００１９】
本明細書に組み込まれて本明細書の一部を構成している添付の図面は、本発明の実施形態を示している。これらの図面と、上記に示した本発明の全般的な説明と、以下に示す実施形態の詳細な説明とによって、本発明の原理を説明してある。
【発明を実施するための最良の形態】
【００２０】
詳細な説明
この錠は、中を貫いているボアを有するハウジングと、ボアの中に回転自在に取り付けられているプラグ（または錠のコア）とを含んでいる。プラグは、縦軸線と、鍵を受け入れるようにされている鍵穴を提供する、縦軸線に平行な第１のオリフィスまたは通路と、を有する。プラグおよびハウジングのそれぞれは、半径方向に延びている対になっている開口または穴の複数のセットも含んでおり、これらは、それぞれ、錠のドライバおよびタンブラを受け入れるようにされている。ハウジングにおける半径方向に延びている穴は、ドライバ室を形成している。プラグにおける半径方向に延びている穴は、タンブラ室を形成している。錠が、ドライバおよびタンブラが（図における）垂直方向に動くことのできる第１のポジションにあるとき、プラグの垂直開口はハウジングの垂直開口と整列している。この第１の錠ポジションまたは第１の回転ポジションにおいては、タンブラ室は、各ドライバ室と整列しており、その結果としての延長された対の開口または穴のそれぞれは、ピン室を形成する。ドライバおよびタンブラは、整列しているピン室のセットの中で動くことができる。錠は、変更部材、例えば、玉軸受けの形式における変更球も含んでおり、この変更部材は、対になっているドライバおよびタンブラのスタックまたはセットの一部としてピン室の中に位置するようにされているか、あるいは、プラグに配置されているかまたはプラグに関連付けられている個別の保持窪みまたは保持空洞の中に位置することができるようにされている。この変更部材は、他の部材であるドライバおよびタンブラのスタックまたはセットよりもサイズを小さくすることができる。１つ以上のピン室と保持空洞との間で１つ以上の変更部材を動かすことによって、上部輪郭の異なる第２の鍵が錠に受け入れられてこの鍵によって錠が作動するが、最初の作動可能な第１の鍵では錠が作動しないように、ドライバおよびタンブラの構成を変化させることができる。
【００２１】
本発明の錠では、鍵のそれぞれが、錠の作動鍵となることができるように構成されている、鍵のサブセットを提供することができる。本発明の１つの実施形態においては、操作者が、特定の錠の鍵のサブセットの各鍵を順に使用していくとき、少なくとも１つのさらなる変更部材がピン室から保持空洞に移動する。この状況が起こると、鍵のサブセットのうち、移動した変更部材の現在の数および構成よりも少ない数および構成を動かすように構成されている鍵では、もはや錠は作動しない。鍵のサブセットのうち、移動した変更部材の現在の数および構成よりも多い数および構成を動かすように構成されている鍵を使用すると、少なくとも１つのさらなる変更部材を移動させて、その新しい鍵に合致するように錠のドライバおよびタンブラの構成を変更することができる。例えば、ドライバおよびタンブラの６つのスタックまたはセットが錠に含まれている場合、作動可能なサブセットとして最大７本の鍵を含めることができ、この場合、連続する鍵のそれぞれは、前の鍵よりも少なくとも１つ多い変更部材を移動させる。従って、各鍵の上部輪郭は、少なくとも１つの輪郭位置がさらに持ち上がっていることを除いて、セットにおける前の鍵とほぼ同じであり、これについては後から詳しく説明する。従って、本発明の錠のこの実施形態では、変更具なしにドライバおよびタンブラのスタックまたはセットを再構成することができ、これにより、単に鍵のサブセットのうちの新しい鍵を使用することによって、迅速かつ自動的に作動鍵を変更する（ｒｅ−ｋｅｙ）ことができる。
【００２２】
変更部材のすべてが保持空洞に移動し、従って鍵のセットの最後に達すると、変更具を使用することによって、セットにおける最初の鍵に錠をリセットすることができる。この変更を実施する目的で、プラグは、変更溝を提供するための第２のオリフィスまたは通路を含んでおり、変更溝は、プラグの縦軸線に平行な方向にプラグに形成されており、保持空洞のそれぞれと交差している。保持空洞が、ハウジングのドライバ室と平面内で整列し、変更具が変更溝に差し込まれると、保持空洞の中の変更部材はそこからドライバ室に移動し、従って、変更部材がドライバおよびタンブラのスタックに戻って錠がリセットされ
、錠は、鍵のサブセットにおけるその後に差し込まれる鍵によって作動する。
【００２３】
本発明の錠のこの実施形態を使用する方法は、作動するように錠がプログラムされている第１の鍵を錠の鍵穴に差し込むステップを含んでいる。次いで、この鍵を使用して、錠のハウジングの中でプラグを回転させることができる。次いで、第１の鍵を縦溝から抜く。次いで、第１の鍵とは上縁輪郭が異なるが補足的である第２の鍵を差し込む。第２の鍵は、第１の鍵の持ち上がった輪郭位置のそれぞれが第２の鍵に存在していることにおいて、第１の鍵に対して補足的である。第２の鍵は、第１の鍵が持たない、少なくとも１つのさらなる持ち上がった輪郭位置を持つことにおいて異なる。それ以外は、第２の鍵の上縁輪郭は第１の鍵の上縁輪郭に一致している。第２の鍵を差し込むと、その持ち上がった輪郭位置に関連付けられているドライバおよびタンブラのスタックが持ち上げられ、そのドライバおよびタンブラのスタックの変更部材が錠のせん断線より上に持ち上がり、ハウジングの各ドライバ室に位置する。第２の鍵を回転させることによってプラグが回転すると、保持空洞がハウジングの各ドライバ室と整列する。この状況が起こると、各ドライバ室にドライバの上に配置されているかまたは位置しているばねまたはその他の付勢機構の力によって、錠のせん断線より上に持ち上がっている変更部材が、対応する保持空洞の中に押し込まれる。第２の鍵とプラグとが元のポジションまで回転すると、そのさらなる変更部材は、プラグのタンブラ室から離れた保持空洞に移動しており、これにより、第２の鍵によって作動するように錠がリセットされている。この時点で、第１の鍵は、追加的に変更されたドライバおよびタンブラのスタックを十分な高さに持ち上げてプラグを回転させることができないため、作動不能である。
【００２４】
本発明の代替実施形態として、変更具を使用して錠のドライバおよびタンブラを再構成する実施形態を含めることができる。この実施形態では、鍵のセットにおける鍵の数を拡張することができ、なぜなら、鍵のセットを順に使用するときに変更部材をタンブラ室からドライバ室を経由して保持空洞の中に移動させる代わりに、タンブラ室と保持空洞との間で変更部材を往復させることができるためである。さらに、本発明のこの実施形態は、錠が自動的に変更されることを防止する、持ち上がった輪郭位置を少なくとも２つ持つ鍵を含むこともできる。しかしながら、鍵のセットにさらに多くの鍵を含めることができる。例えば、合計６つの輪郭位置に２つの持ち上がった輪郭位置を凹凸状に配置することによって、１５種類の鍵の組み合わせを達成することができる。同様に、合計で６つの輪郭位置のうち４つが持ち上がった輪郭位置である鍵のサブセットでは、１５種類の鍵の組み合わせが提供される。
【００２５】
本発明のさらに別の代替実施形態では、錠のプラグに配置されており、変更溝と保持空洞の開口と交差するようにされている記憶ブロック、を含んでいることができる。この記憶ブロックは、保持空洞の開口を部分的に遮ることによって、異なる鍵が不正に錠に差し込まれることを防止する。従って、認められたユーザが変更具を差し込まない限りは、せん断線より上に持ち上がっている変更部材は、保持空洞が回転してドライバ室と整列したときに、開口を通って保持空洞の中に入ることができない。変更具は、保持空洞のそれぞれの開口全体が露出して変更部材が受け入れられるように、記憶ブロックを変更溝から離れた位置に移動させる。
【００２６】
さらに別の代替実施形態では、プラグにおける半径方向に延びている溝に配置されている少なくとも１つのラジアルタンブラを含んでいることができる。ラジアル溝は、プラグの縦軸線から半径方向外側にプラグの側壁に配置されているかまたはプラグの側壁に関連付けられている。これらのラジアルタンブラは、錠のハウジングとプラグとの間に配置されているサイドバーを受け入れるための切欠きを含んでいることができる。このサイドバーとラジアルタンブラの構成によって錠の安全性が高まり、なぜなら、正しい上縁輪郭のみならず、正しい縦輪郭、すなわち、サイドバーを錠のハウジングからプラグの内側方向
に動かし、これによってプラグを回転させて錠を作動させることができるように、ラジアルタンブラを正しい位置まで動かすための正しい縦輪郭、も有する鍵が、ユーザに必要となるためである。
【００２７】
本発明の錠を再構成する上述した方法を使用することによって、錠を正しく作動させることのできる子鍵を変更する目的で、ドライバおよびタンブラを再構成することができる。この方法は、認可されているユーザ鍵または作動可能なユーザ鍵が錠に差し込まれているときに変更具を使用して、鍵のサブセットにおける別のユーザ鍵を作動可能なユーザ鍵にすることができるように錠をリセットするステップを含んでいる。
【００２８】
本発明のさらに別の実施形態では、ドライバおよびタンブラの配置構成を再構成することなしに、錠を正しく作動させることのできる親鍵が可能である。具体的には、１つの実施形態において、この代替実施形態は、少なくとも１つのマスターシムまたはマスターピンを含んでおり、好ましくは、プラグのタンブラ室のそれぞれに少なくとも１つのマスターシムが配置されている。これらのマスターシムは、ドライバおよびタンブラのスタックの中、変更部材の真下に配置されている。マスターシムのそれぞれは、変更部材よりもサイズが大きく、保持空洞の開口よりもサイズが大きい。従って、親鍵がプラグの鍵穴に差し込まれると、下側のタンブラが、プラグのタンブラ室の中、せん断線より下に位置し、その一方で、マスターシムのそれぞれが、ハウジングのドライバ室の中、錠のせん断線のすぐ上に位置するように、ドライバおよびタンブラのスタックのすべてが持ち上がる。保持空洞がハウジングのドライバ室と整列するように錠の中でプラグが回転すると、マスターシムは、開口よりサイズが大きいため、開口を通って保持空洞の中に落下することができない。マスターシムは、変更部材が保持空洞の中に移動することも防止し、なぜなら、マスターシムはドライバ室の中の変更部材と保持空洞との間に配置されており、変更部材が入りうる保持空洞の開口を遮断しているためである。従って、変更部材が保持空洞に入る経路が存在しない。従って、ある施設における任意の錠を、錠のドライバおよびタンブラのスタックを再構成することなしに、親鍵を作動させて開錠することができる。記憶ブロックを含んでいる本発明の実施形態においては、ドライバおよびタンブラのスタックにマスターシムを含める必要はなく、なぜなら、変更ブロックが保持空洞に入ることは記憶ブロックによって阻止することができるためである。
【００２９】
図１を参照する。錠１０の１つの実施形態は、ほぼ円筒状のプラグ１６を受け入れるための、中を貫いているほぼ円筒状のボア１４、を有するハウジング１２を含んでいる。プラグ１６は、ハウジング１２の中で回転する大きさの周囲を有する。錠のハウジングおよびプラグは、中にドライバおよびタンブラが配置される垂直開口を含んでいる。ハウジング１２は、ボアの内面と交差する複数のほぼ円筒状のドライバ室４０を有し、その一方で、プラグ１６は、相応してほぼ円筒状の複数のタンブラ室４２を有する。ハウジングのドライバ室４０とプラグのタンブラ室４２とが整列すると、複数のピン室１８が形成される。各ピン室１８の中には、複数のほぼ円筒状のドライバ２０と、円筒状の本体およびテーパーの付いた端部で構成されている複数のほぼ鉛筆形状のタンブラ２２とが配置されている。タンブラ２２は、テーパーの付いた端部が、鍵穴２４の形式におけるプラグ１６の第１の経路の中に延びるように、タンブラ室４２の中に配置されている。ドライバ２０は、ピン室１８の中、対応するタンブラ２２の上に位置しており、ピン室１８の中で動くことができる。各ドライバ室４０の中には、取り外し自在にハウジング１２に固定されているかまたは取り付けられている長方形の上板２８と、それぞれのドライバ２０との間に、ドライバばね２６の形式における付勢手段が配置されており、鍵穴２４に鍵が差し込まれていないときにタンブラ２２のテーパーの付いた端部が鍵穴２４の中に突き出すように、対になっているドライバ２０およびタンブラ２２のスタックを下向きに付勢するかまたは押し付ける。ドライバばね２６は、圧縮および伸長の繰り返しによる材料の変形を防止するため、一般には高強度ステンレス鋼（ｔｅｍｐｅｒｅｄ，  ｓｔａｉｎｌｅｓｓ  ｓｔｅ
ｅｌ）である。好ましくは、ばねの材料は、Ｗ．Ｂ．  Ｊｏｎｅｓ  Ｓｐｒｉｎｇ  Ｃｏ．，  Ｉｎｃ．社（ケンタッキー州Ｗｉｌｄｅｒ）から部品番号Ｃ１０８ｘ００８ｘ５２０として購入できる、サイズが約００８の非金属ステンレス鋼ワイヤによって作製される。ドライバ室４０とタンブラ室４２は、一般には、ほぼ円形の断面を持つ。
【００３０】
図２Ａは、ハウジング１２の断面図と、ハウジングの中に配置されているドライバ２０およびプラグ１６の平面図である。図２Ｂは、図２Ａの線２Ｂ−２Ｂに沿って切断したときの錠の断面図であり、プラグ１６およびハウジング１２は断面図で示してあり、ハードウェア（ドライバ２０、付勢手段２６、変更部材５６、マスターシム６０、およびタンブラ２２）は平面図で示してある。本発明を理解しやすくする目的で、図２Ａ（および以降の類似する図面）においては、タンブラ２２と鍵３０の輪郭位置６８，７０，７２，７４，７６，７８（想像線で示してある）を見ることができるように、保持空洞５８と変更溝８８をプラグ１６の縦中心線５４（図２Ｂ参照）からずらして示してある。
【００３１】
図２Ａおよび図２Ｂにおいて、ユーザ鍵のサブセットにおける第１の鍵３０が鍵穴２４に差し込まれると、対になっているタンブラ２２およびドライバ２０のスタックが、鍵の上縁輪郭３２に対応する高さまで持ち上がる。正しい（または作動可能な）鍵が差し込まれた場合、各ドライバ２０の下端３４または各タンブラ２２の上端３６は、鍵１０のせん断線３８に沿って位置している。せん断線３８は、プラグ１６の外周または周囲がボア１４の内面と向き合うかまたは対向している境界面に位置している。従って、正しい鍵または作動鍵では、プラグ１６がハウジング１２の中で回転することができるように各タンブラ２２および各ドライバ２０が持ち上がる。プラグ１６が回転するとき、各ドライバ２０は、ハウジング１２の各ドライバ室４０の中に実質的に全体が収まっており、その一方で、各タンブラ２２は、プラグ１６の各タンブラ室４２の中に実質的に全体が収まっている。第１の鍵３０は、少なくとも鍵の片側に沿って形成されている縦輪郭４４と、上縁輪郭３２とを持つことができる。これに代えて、縦輪郭４４を鍵の両側に形成することができる。
【００３２】
より具体的には、図１に示したように、図示した実施形態の錠１０の本体４６は、ほぼ円筒形状であり、錠１０を取り付けることのできるドアまたはその他の部材に当接するほぼ円形のフランジ４８がその一端に設けられている。施錠を必要とする対象物（図示していない）に錠１０を固定することができるように、フランジ４８とは反対側の本体４６の端部付近にねじを切る（図示していない）ことができる。ボア１４は、縦軸線５０を中心とし縦軸線５０に沿ってハウジング１２の中に形成されて延在しており、ハウジング１２の両端を貫いている。図示した実施形態のプラグ１６は、円筒状の本体５２を含んでおり、この本体５２は、組み立て後の錠１０において、プラグ１６の周囲が錠１０のボア１４の面と向き合うかまたは対向し、ボア１４の縦軸線５０とプラグ１６の縦軸線５４とが実質的に同軸であるように構成されている。ハウジング１２から延びているプラグ１６のラッチ端部１５には、ねじ山６７を設けることができ、このねじ山６７に、嵌まり合う固定ナット（図示していない）をねじ込んで、ハウジング１２のボア１４の中にプラグ１６を固定することができる。くぼみまたはボルト（図示していない）と係合するラッチ部材（図示してない）をプラグ１６のラッチ端部１５に固定して、錠１０が取り付けられている対象物を施錠することができる。
【００３３】
ハウジングの各ドライバ室４０とプラグのタンブラ室４２とが整列すると、プラグの鍵穴２４からハウジングの上端部まで延びる複数のピン室１８が形成される。ピン室１８は、プラグ１６の縦軸線５４に実質的に直交するように延びている。ピン室１８のうちタンブラ室４２によって表される部分は、ボア１４と交差し、プラグ１６を貫いて鍵穴２４と交差しており、その一方で、ピン室１８のうちドライバ室４０によって表される部分は、錠１０のハウジング１２の中を貫いている。すなわち、各ピン室１８のドライバ室４０の
部分は、ハウジング１２およびボア１４と交差しているのに対し、各ピン室１８のタンブラ室部分４２は、プラグ１６の周囲および鍵穴２４と交差している。各ドライバ室４０の中に配置されているドライバ２０は、上板２８と各ドライバ２０との間のドライバばね２６によって付勢されて、ほぼボア１４の方に押し付けられている。鍵穴２４に鍵が差し込まれていないときには、ドライバばね２６の力は、各ドライバ２０の少なくとも一部を、ピン室１８のうちプラグ内のタンブラ室４２の部分に突き出させることができる。
【００３４】
プラグ１６が、図２Ａおよび図２Ｂに示した初期または第１のポジションにあって、回転していないときには、各タンブラ室４２は、各ドライバ室４０と軸方向に整列している。タンブラ室４２の中の各タンブラ２２の一部は、各ドライバ２０とドライバばね２６との組み合わせによって生じる付勢力または押し付け力によって、鍵穴２４の中に突き出すことができる。さらに、各タンブラ２２の上端部３６は、各ドライバ２０の下端部３４に接触および係合することができる。本発明の錠１０の図示した実施形態は、対になっているドライバ２０およびタンブラ２２の特定の数または複数のスタックまたはセットを有するように描いてあるが、錠１０の代替実施形態では、一組のドライバ２０およびタンブラ２２、または、図示した実施形態に描かれているよりも数が少ない、または多い、ドライバ２０およびタンブラ２２の複数の対を含んでいることができる。
【００３５】
本発明の錠１０は、錠構成変更部材５６も含んでおり、この部材は、図示した実施形態におけるように、玉軸受けなどほぼ球形の変更部材または変更球の形式とすることができる。変更部材５６は、ピン室１８の中に位置して、対になっているドライバ２０およびタンブラ２２のスタックまたはセットのそれぞれの一部として組み込まれるように、形成されている。あるいは、変更部材５６は、プラグ１６に形成されているかまたはプラグ１６に関連付けられている個別の保持空洞５８の中に位置することができる。各変更部材５６は、ピン室１８における第１のポジションから、より具体的にはタンブラ室４２から、各保持空洞５８における第２のポジションに移ることができるように、動くことができる。逆に、変更部材５６は、各保持空洞５８における第２のポジションからピン室１８における第１のポジションに移動することができる。１つ以上のピン室１８と各保持空洞５８との間で変更部材５６を動かすことによって、別の上部輪郭３２を持つ鍵を受け入れて、それが作動鍵となるように、対になっているドライバ２０およびタンブラ２２の１つ以上のスタックまたはセットの構成を変更することができる。従って、変更部材５６が第１のポジションにあるときには、対になっているドライバ２０およびタンブラ２２のスタックまたはセットの一部として変更部材５６を組み込むことができる。変更部材５６を有するドライバおよびタンブラのスタックにおいては、変更部材５６がドライバ２０およびタンブラ２２の間に位置しているとき、ドライバ２０とタンブラ２２のそれぞれは変更部材５６の各側に接触および係合することができる。変更部材５６が第２のポジションに移動しているドライバおよびタンブラのスタックにおいては、ドライバ２０およびタンブラ２２は互いに接触および係合することができる。これに代えて、後から詳しく説明するように、ドライバおよびタンブラのスタックは、各スタックまたはセットのドライバ２０、タンブラ２２、および変更部材５６のうち２つまたは３つの要素の間に配置されるほぼ円形のマスターシム６０を含んでいることができる。本発明の錠１０には、特定の錠を作動させることができ、かつ１つ以上の変更部材５６を移動させるようにされている鍵、のサブセットを設けることができ、これについては後から詳しく説明する。
【００３６】
各保持空洞５８は、変更部材５６を受け入れる、円形断面を持つ開口を有する。一般には、変更部材５６は、保持空洞５８の断面よりも小さい、より一般的にはわずかに小さい直径を持つ。変更部材５６は、球形状であるため、錠のキャビティ５８、ドライバ室４０、およびタンブラ室４２の中で転がることができ、その向きに関係なく同じ断面形状を突き出すことができる。また、変更部材５６の球形状は、自由な動きを妨げうる角部あるいは縁部を持たない。本発明の錠には、樽形状または円筒状の変更部材を使用することがで
きるが、その変更部材は、室の中で傾いたり転倒する傾向を持つことがあり、室の中で引っかかって錠が動かなくなる可能性が高まる。本発明のさらなる実施形態についての以下の説明においては、変更部材５６を変更球５６と称する。
【００３７】
次に、図２Ａ〜図１３Ｄを参照し、これらの図は、本発明の錠１０の第１の実施形態を示している。これらの図に示した本発明の実施形態では、操作者は、第１のユーザ鍵３０によって作動する錠のドライバ２０、タンブラ２２、および変更球５６の構成を、第２のユーザ鍵６２が受け入れられて作動可能な鍵となり、かつ第１の鍵３０が作動不能な鍵となるように、変更具６４を使用することなく変更することができる（図１参照）。すなわち、第１の鍵３０を使用できないようにする目的で、錠自体を取り外したり分解することなく、第２の鍵６２を使用して、錠１０のドライバ２０、タンブラ２２、および変更球５６の構成が変更される。ユーザ鍵のサブセットとして、以降の作動鍵のそれぞれが、それ以前のどの作動鍵によっても錠１０が作動しないように錠１０を再構成する、または作動鍵を変更することができる、サブセットを提供することができる。鍵の間のこの連続性は、各鍵の異なる上縁輪郭３２によって与えることができる。操作者が特定の錠１０の鍵のサブセットにおける各鍵を順に使用していくとき、球５６のうち少なくとも１つのさらなる変更部材が、ピン室１８の１つから各保持空洞５８に移動する。この状況においては、鍵のサブセットのうち、移動した変更球５６の現在の数および構成よりも少ない数および構成の球を移動させるように構成されている鍵では、もはや錠１０が作動しない。サブセットのうち、移動した変更球５６の現在の数および構成よりも１つ以上多い数および構成の変更球を移動させるように構成されている鍵を使用すると、ドライバ２０、タンブラ２２、および変更球５６の対応する構成が、その鍵に合致するように変更される。例えば、ドライバ２０、タンブラ２２、および／または変更球５６を有する６つのピン室１８が錠に含まれている場合、最大７本の鍵を作動鍵セットに含めることができ、この場合、連続する鍵のそれぞれが前の鍵よりも少なくとも１つのさらなる変更球５６を移動させる。７本の鍵のうちの１本の鍵は、変更球５６をまったく移動させない。この鍵は、ヌル鍵または基本鍵と称することができる。連続する鍵のそれぞれは、少なくとも１つのさらなる輪郭位置６６が持ち上がっていることを除いて、セット内の前の鍵とほぼ同じ上部輪郭を有し、これについては後から詳しく説明する。
【００３８】
図２Ａ〜図１２Ｂに示した実施形態においては、本発明の錠１０は、ドライバ２０、タンブラ２２、および変更球５６のセットをそれぞれが格納するようにされている、第１、第２、第３、第４、第５、および第６のピン室（それぞれ番号１９，２１，２３，２５，２７，２９で表してある）を有するものとして示してある。鍵穴２４に差し込まれている鍵は、第１、第２、第３、第４、第５、および第６の輪郭位置（それぞれ番号６８，７０，７２，７４，７６，７８で表してある）を有するものとして示してある。鍵が鍵穴２４に完全に差し込まれているとき、これらの第１、第２、第３、第４、第５、および第６の輪郭位置６８，７０，７２，７４，７６，７８は、それぞれ、対応する第１、第２、第３、第４、第５、および第６のピン室１９，２１，２３，２５，２７，２９と位置が合う。これらの輪郭位置６８，７０，７２，７４，７６，７８は、持ち上がった輪郭位置または下がった輪郭位置とすることができる。特に図２Ａを参照すると、第１の鍵３０には持ち上がった輪郭位置６６がなく、従って、いずれの変更球５６もせん断線３８より上に持ち上がらないことがわかる。
【００３９】
鍵穴２４に鍵が差し込まれると、持ち上がった輪郭位置６６によって、錠１０のせん断線３８と同じ高さである各タンブラ２２の上端部３６が持ち上がり、従って、第１のポジションに位置している変更球５６がせん断線３８より上に持ち上がり、ハウジング１２のドライバ室４０に入る。図３Ａを参照すると、第２のユーザ鍵６２は、持ち上がった第１の輪郭位置６８を有するものとして示してある。この第２の鍵６２は、プラグ１６を回転させて錠を作動させることができ、なぜなら、この鍵が、ピン室１８の各ドライバ２０、
タンブラ２２、および変更球５６を持ち上げるとき、これらの構成要素のうちせん断線３８に近い任意の２つの間の境界面がせん断線３８と同じ高さであるためである。これらのどの構成要素も、具体的にはドライバ２０とタンブラ２２のいずれも、せん断線をまたがない。具体的には、第２の鍵６２の、持ち上がった第１の輪郭位置６８によって、第１のピン室１９の中に位置している変更球５６がせん断線３８より上に持ち上がる。プラグ１６が回転して、第１のピン室１９の変更球５６が対応する保持空洞５８に移動すると、第１の鍵３０は、その第１の輪郭位置６８が下がっているため作動不能となる（図６Ａ参照）。図７Ａを参照すると、第３の鍵６３は、第１および第３の輪郭位置６８，７２が持ち上がっている。持ち上がっている第３の輪郭位置７２によって、第３のピン室２３に位置している変更球５６がさらに移動する。このように、少なくとも１つの輪郭位置６６が余計に持ち上がっている以降の鍵によって、その鍵の持ち上がった輪郭位置６６に対応する輪郭位置が下がっている、それ以前の作動鍵は、作動不能になる。鍵のセットには、第１と第３の輪郭位置に加えて第５の輪郭位置７６がさらに持ち上がっている第４の鍵８０（図１３Ａに示している）と、第１、第３、および第５の輪郭位置６８，７２，７６に加えて第２の輪郭位置７０がさらに持ち上がっている第５の鍵８２（図１３Ｂに示している）と、第１、第２、第３、および第５の輪郭位置６８，７０，７２，７６に加えて第４の輪郭位置７４がさらに持ち上がっている第６の鍵８４（図１３Ｃに示している）と、第１、第２、第３、第４、および第５の輪郭位置６８，７０，７２，７４，７６に加えて第６の輪郭位置７８がさらに持ち上がっている第７の鍵８６（図１３Ｄに示している）と、を含んでいることができる。なお、図示した６本の鍵のセットは単なる一例であり、錠１０におけるピン室１８の数に１を加えた数を最大本数として、同様に構成された任意の本数の鍵のセットとすることができることを理解されたい。
【００４０】
変更球５６のすべてが各保持空洞５８に移動し、従って、ユーザ鍵のサブセットにおける最後の鍵に達する、または最後の鍵を使用した時点で、変更具６４を使用することによって、サブセットにおける第１の鍵３０に錠１０をリセットすることができる。これに代えて、セットの鍵のすべてを使用した時点のみではなく、操作者が望む任意の時点で錠１０をリセットすることができる。この変更を実施する目的で、プラグ１６は、変更溝８８の形式における第２のオリフィスまたは通路を含んでいる。変更溝８８は、一般には、プラグ１６の縦軸線５４に平行な方向にプラグ１６に形成されており、一般には、プラグの前面から延びて保持空洞５８のそれぞれの一部と交差している。保持空洞５８とハウジング１２のドライバ室４０とが整列するポジションまでプラグ１６が回転しており、変更具６４が変更溝８８に完全に差し込まれると、保持空洞５８の中に位置している変更球５６は保持空洞５８を出てドライバ室４０に移動する。次いで、プラグ１６を元のポジションまで回転させると、変更球５６は、ドライバ２０およびタンブラ２２の対応するスタックまたはセットに戻り、錠１０がリセットされる。
【００４１】
変更溝８８は、保持空洞５８の中心を通る縦線に沿ってプラグ１６に形成されていることが好ましい。この構成では、変更溝８８に差し込まれる変更具６４によって、中に含まれている変更球５６をその重量の中心で支えて最大高さまで持ち上げることができる。さらに、変更溝８８は、その幅が、保持空洞５８から変更球５６を効果的に持ち上げることのできる変更具６４を収容するのに必要な最小限の幅であるように形成されている。ピン室が６つ程度である一般的なドア錠においては、変更溝の幅は一般に約０．０２０インチ（約０．５０ｍｍ）またはそれ以下である。変更溝８８の幅が大きすぎると、マスターシム６０（本明細書において後述する）などの部材が、変更溝８８との交点における保持空洞５８の開口の角部１８８に当たることがある（図２参照）。時間の経過とともに、マスターシムが角部１８８に何度も衝突することによって角部１８８が磨耗し、最終的にはシムが変形して開口に詰まることがある。
【００４２】
本発明のこの実施形態の錠１０を使用する方法においては、作動するように錠１０がプ
ログラムされている第１の鍵３０を、錠１０の縦鍵穴２４に差し込む。次いで、この鍵を使用して、ハウジング１２の中でプラグ１６を回転させることができる。次いで、第１の鍵３０を縦鍵穴２４から抜く。第２の鍵６２は、第１の鍵３０とは異なるが補足的な上縁輪郭３２を持つ。第２の鍵６２の上縁輪郭３２も、第１の鍵３０によって持ち上げられるのと同じように、対になっているドライバ２０およびタンブラ２２のスタックまたはセットを持ち上げる、第１の鍵３０の上縁輪郭３２に一致する持ち上がった輪郭位置６６を持ち、さらに、少なくとも１つのさらなる持ち上がった輪郭６６を持つ。第２の鍵６２が差し込まれると、第２の鍵のさらなる持ち上がった輪郭６６によって、少なくとも１つの変更球５６が錠１０のせん断線３８より上に持ち上がり、ハウジング１２における各ドライバ室４０に位置する。
【００４３】
第２の鍵６２とプラグ１６とを右に回転させると、保持空洞５８がドライバ室４０と整列する。この状況が起こると、ドライバ室４０の中の各ドライバ２０の上に配置されているドライバばね２６のばね力によって、せん断線３８より上に位置している変更球５６が、対応する保持空洞５８の中に押し込まれる。第２の鍵６２をプラグ１６と共に元のポジションに回転させると、さらなる変更球５６は、ピン室１８から離れた保持空洞５８の中に位置しており、従って、錠１０は、第２の鍵６２によって作動するようにリセットされている。
【００４４】
ここまで、一度に１つのみの変更球５６をタンブラ室４２から保持空洞５８に移動させるものとして説明してきたが、本発明では、一度に複数の変更球５６をタンブラ室４２から保持空洞５８に移動させることができる。
【００４５】
次に、図２Ａおよび図２Ｂを参照する。図示した錠１０の実施形態は、作動可能な第１の鍵３０が鍵穴２４に差し込まれている状態を描いてある。第１の鍵３０は、持ち上がった輪郭位置６６がない上縁輪郭３２を有する。６つの輪郭位置６８，７０，７２，７４，７６，７８のすべては、下がった位置である。図２Ａおよび図２Ｂは、第１の鍵３０が差し込まれたときに、これらの下がった輪郭位置６８，７０，７２，７４，７６，７８によって、タンブラ室４２の中に位置している変更球５６がそのまま維持されることを示している。ピン室１８のそれぞれにおけるドライバ２０、タンブラ２２、および変更球５６は、いずれのドライバまたはタンブラもせん断線３８をまたがないように持ち上がるため、第１の鍵３０は、ハウジング１２の中でプラグ１６を回転させることによって錠を作動させる。
【００４６】
なお、変更球５６の中心線より下の下側部分がせん断線をまたいでいる場合、ハウジングの中でのせん断線に沿ったプラグの回転によって、球５６がドライバ室４０の中に押し込まれることを認識されたい。変更球の中心線または上側部分がせん断線に沿って位置している場合は、プラグがハウジングのボアの中で回転せず、動かなくなることがある。
【００４７】
次に、図３Ａおよび図３Ｂを参照する。第１の鍵３０が抜かれて、第２の鍵６２が錠１０の鍵穴２４に差し込まれている状態のプラグ１６およびハウジング１２を描いてある。この第２の鍵６２は、第１の鍵３０の上縁輪郭とは異なる、具体的には、第１の輪郭位置６８が持ち上がっていることにおいて異なる、上縁輪郭３２を有する。第１の鍵３０では、第１の輪郭位置６８は下がっている。第２の鍵６２の、持ち上がった第１の輪郭位置６８によって、第１のピン室１９の中に位置している変更球５６がせん断線３８より上に持ち上がる。一連のピン室１８のそれぞれのドライバ２０、タンブラ２２、および変更球５６の配置は、いずれのドライバ、タンブラ、変更球もせん断線３８をまたがないため、この第２の鍵６２は、錠１０を作動させることができる。
【００４８】
次に、図４Ａおよび図４Ｂを参照する。本発明の錠１０は、第２の鍵６２がプラグ１６
に差し込まれて、１／４回転だけ右回りに回転しており、これによって保持空洞５８がハウジングにおけるドライバ室４０と整列している状態を描いてある。第１のピン室１９の第１のドライバ室４０の中のドライバ２０の上に配置されているドライバばね２６によって、せん断線３８より上に位置していた変更球５６が、対応する保持空洞５８の中に押し込まれる。
【００４９】
次に、図５Ａおよび図５Ｂを参照する。プラグ１６と、鍵穴２４に差し込まれている第２の鍵６２とが元のポジションまで回転した状態である。その第１のポジションにあるときには第１のピン室１９に関連付けられていた変更球５６は、プラグ１６に配置されているかまたはプラグ１６に関連付けられている保持空洞５８の１つにおける第２のポジションに移動している。ドライバ２０、タンブラ２２、および変更球５６は、すべてのドライバ２０の下端部３４がせん断線３８に沿って同じ高さに位置し、ドライバ室４０の中であるように、ピン室１８の中に位置している。従って、第２の鍵６２は、ハウジング１２の中でプラグ１６を回転させることによって錠を作動させる。
【００５０】
次に、図６Ａおよび図６Ｂを参照する。第２の鍵６２が鍵穴２４から抜かれており、第１の鍵３０が再び差し込まれている。これらの図は、この時点では第１の鍵３０が錠１０の作動から排除されている、または錠１０を作動させることができないことを示している。第２の鍵と異なる第１の輪郭位置６８（この第１の鍵３０では下がった位置である）は、ドライバ２０およびタンブラ２２を十分に持ち上げることができず、従って、ドライバ２０は、その一部が第１のピン室１９のドライバ室４０の中に位置し、一部がタンブラ室４２の中に位置している。第１のピン室１９のこのドライバ２０が錠１０のせん断線３８をまたいでいるため、プラグ１６はハウジング１２の中で回転せず、従って、第１の鍵３０は、錠１０を作動できないようにされている。
【００５１】
次に、図７Ａおよび図７Ｂを参照する。第２の鍵６２が抜かれており、第３の鍵６３が鍵穴２４に差し込まれている状態での、プラグ１６およびハウジング１２を描いてある。この第３の鍵６３は、第２の鍵６２とは異なる上縁輪郭３２を持つ。第３の鍵６３の第３の輪郭位置７２は持ち上がっているのに対し、第２の鍵６２においては、第３の輪郭位置６８は下がっている。第３の鍵６３は、第２の鍵６２と同様に、第１の輪郭位置６８は持ち上がっている。第３の鍵６３が差し込まれた状態では、この第３の持ち上がった輪郭位置に起因して、第３のピン室２３の変更球５６がせん断線３８より上に持ち上がる。ピン室１８のそれぞれのドライバ２０、タンブラ２２、および変更球５６は、いずれの部材もせん断線３８をまたがないように整列しているため、この第３の鍵６３は、この時点では錠１０を作動させることができる。
【００５２】
次に、図８Ａおよび図８Ｂを参照する。本発明の錠１０は、第３の鍵６３が鍵穴に差し込こまれて１／４回転だけ右回りに回転しており、これによって、保持空洞５８がドライバ室４０と整列している状態を描いてある。第３のピン室２３の第３のドライバ室４０の中に配置されているドライバばね２６によって、せん断線３８より上に位置していた変更球５６が、対応する保持空洞５８の中に押し込まれる。
【００５３】
次に、図９Ａおよび図９Ｂを参照する。プラグ１６と、鍵穴２４に差し込まれている第３の鍵６３とが元のポジションまで回転した状態である。その第１のポジションにあるときに第３のピン室２３に関連付けられていた変更球５６は、プラグ１６に配置されているかまたはプラグ１６に関連付けられている保持空洞５８の１つにおける第２のポジションに移動している。ドライバ２０、タンブラ２２、および変更球５６は、すべてのドライバ２０の下端部３４がせん断線３８に沿って同じ高さに位置しており、すべてのドライバ２０が完全にドライバ室４０の中に入っているように、ピン室１８の中に位置している。従って、第３の鍵６３は、ハウジング１２の中でプラグ１６を回転させることによって錠を
作動させる。
【００５４】
次に、図１０Ａおよび図１０Ｂを参照する。第３の鍵６３が鍵穴２４から抜かれており、第２の鍵６２が再び差し込まれている。これらの図は、第２の鍵６２がこの時点では錠１０を作動させることができないことを示している。第３の鍵と異なる第３の輪郭位置７２（第２の鍵６２では下がった位置である）は、第３のピン室２３のドライバ２０およびタンブラ２２を十分に持ち上げることができず、従って、ドライバ２０は、その一部が第３のピン室２３のドライバ室４０の中に位置し、一部がタンブラ室４２の中に位置している。第３のピン室２３のこのドライバ２０がせん断線３８をまたいでいるため、第２の鍵６２によってプラグ１６がハウジング１２の中で回転せず、従って、第２の鍵６２は、錠１０を作動できないようにされている。
【００５５】
次に、図１１Ａ〜図１２Ｂを参照する。第１の鍵３０を再び受け入れるための錠１０のリセットを示している。錠１０は、第３の鍵６３（作動可能なユーザ鍵）が差し込まれてプラグ１６が１／４回転だけ右回りに回転しており、保持空洞５８がピン室１８のドライバ室４０と整列している状態を示してある。プラグ１６の変更溝８８に変更具６４が差し込まれており、これによって、保持空洞５８における第２のポジションに位置していた変更球５６が、保持空洞５８からドライバ室４０に追い出される。
【００５６】
次いで、変更溝８８に変更具６４が依然として差し込まれている状態で、プラグ１６を１／４回転だけ左回りに元のポジションまで回転させ（図示していない）、この時点でドライバ室４０とタンブラ室４２とが整列する。変更具６４によってドライバ室４０の中に追い出された変更球５６は、ハウジング１２におけるドライバ室４０の中、せん断線３８のすぐ上に位置したままである。
【００５７】
次に、図１２Ａおよび図１２Ｂを参照する。各変更球５６が各ピン室１８の中にあり、プラグ１６が第１の回転ポジションにあり、錠がリセットされた状態である。第３の鍵６３を鍵穴２４から抜いた後、第１の鍵３０を再び差し込むことができる。第１の鍵３０では、変更球５６のいずれも錠１０のせん断線３８より上に持ち上がらない。従って、錠１０は、第１の鍵３０が作動させることができるように変更具６４の使用によってリセットされている。
【００５８】
図２Ａ〜１２Ｂに示した錠１０の実施形態では、ドライバ２０、タンブラ２２、および変更球５６の配置構成を再構成することなく錠１０を正しく作動させることのできる親鍵を提供することもできる。具体的には、図１４Ａ〜図１５Ｂを参照する。これらの図に示した実施形態は、複数のマスターシム６０を含んでおり、錠１０の各ピン室１８に少なくとも１つのシムが配置されている。これらのシム６０は、各ピン室１８の中、スタックにおける変更球５６の下に配置されている。マスターシム６０のそれぞれは、変更球５６よりもサイズが大きい（図示した実施形態においては直径が大きい）。また、マスターシム６０は、保持空洞５８の開口よりもサイズまたは直径が大きく、従って、マスターシム６０は保持空洞５８の中に入ることができない。一般には、マスターシム６０は、変更球５６および保持空洞５８よりも大きな円筒直径を持つ。同じ理由で、ハウジング１２の中でプラグ１６が回転して保持空洞５８とドライバ室とが整列したときに、各ドライバが開口を通って保持空洞５８の中に入る（これによって錠が動かなくなる）ことを阻止する目的で、ドライバ室４０の中に配置されているドライバ２０のサイズは、一般には、保持空洞５８の開口よりも大きい。
【００５９】
次に、図１４Ａおよび図１４Ｂを参照する。親鍵８７は、プラグ１６の鍵穴２４に差し込まれたときに、タンブラ２２がタンブラ室４２の中、せん断線３８より下に位置する一方で、マスターシム６０のそれぞれがドライバ室４０の中、せん断線３８のすぐ上に位置
するように、ドライバ２０、タンブラ２２、変更球５６、およびマスターシム６０のすべてが持ち上がるように構成されている。図１５Ａおよび図１５Ｂを参照して、次いで、プラグ１６がハウジング１２の中で１／４回転だけ右回りに回転し、従って、保持空洞５８がドライバ室４０と整列したときに、ばね力によってマスターシム６０を保持空洞５８に押し込むことはできず、なぜなら、その直径が保持空洞５８の開口の直径よりも大きいためである。同時に、保持空洞５８と変更部材５６との間に配置されているマスターシム６０は、変更球５６の経路を遮断し、変更球５６がドライバ室４０の中から保持空洞５８の中に移動することを阻止することができる。従って、ある施設における任意の錠１０を、錠１０のドライバ２０、タンブラ２２、および変更球５６を再構成することなく、親鍵を作動させる、または使用して開錠することができる。
【００６０】
図２Ａ〜１２Ｂに図示した実施形態では、それぞれ同じ長さのタンブラを描いてあるが、これは、本発明の動作原理の説明を容易にするためである。しかしながら、代替実施形態においては、一連のタンブラ室の中の各タンブラの長さは、異なっていることができる。錠のタンブラのセットが選択されたとき、第１の鍵３０の上縁輪郭３２は、この第１の鍵３０が鍵穴に差し込まれたときに、保持空洞の中に変更部材が位置しないように各変更球５６の上端がせん断線３８まで持ち上がるように、本実施例における輪郭高さより高く、または低く形成された、すなわち機械加工された輪郭位置を持つ。この代替実施形態における第２の鍵６２は、少なくとも１つの輪郭位置６６が持ち上がっていることを除いて、第１の鍵３０の上縁輪郭３２に類似している、異なるが補足的な上縁輪郭３２を持つ。第２の鍵６２が差し込まれると、この第２の鍵６２の少なくとも１つのさらなる持ち上がった輪郭６６によって、少なくとも１つの変更球５６が錠１０のせん断線３８より上に持ち上がり、ハウジング１２のドライバ室４０の中に位置する。
【００６１】
鍵のサブセットは、変更可能な錠のピン室に使用されているタンブラとドライバの組み合わせに対応するように作製する。一般的な鍵では、輪郭位置の高さは、各ピン室において使用するように選択された対応するタンブラの高さに対応して切断することができる。一般的には、タンブラ２２が長いほど、輪郭を低く切断する必要があり、タンブラが短いほど、輪郭を高く切断する必要がある。鍵の輪郭位置を切断するときには、鍵が鍵穴からわずかに抜かれた場合に、いずれかのピン室における輪郭の水平部分の端からタンブラが時期尚早に下降し始めることがないように、輪郭位置の水平部分の幅が十分に広いことが必要である。
【００６２】
本発明の第２の実施形態は、図１６Ａ〜図２２Ｎに描いてあり、これらの図においては、類似する構成要素は類似する番号によって表してある。この第２の実施形態では、錠１０のドライバ２０、タンブラ２２、および変更球５６を再構成する目的での変更具６４の使用について説明する。この実施形態では、第１の実施形態と比較して、ユーザ鍵の特定のサブセットにおける鍵の数を拡大することができる。第１の実施形態において説明したように、ユーザ鍵のサブセットにおける鍵を順に使用していくときに、ピン室１８から保持空洞５８にさらなる変更球５６を移動させていく代わりに、第２の実施形態では、ピン室１８における第１のポジションと保持空洞５８における第２のポジションとの間で変更球５６を往復移動させることができる。一般には、保持空洞５８からピン室１８に、およびピン室１８から保持空洞５８に変更球５６を動かすことによって、ユーザ鍵のサブセットにおける別のユーザ鍵によって作動するように錠を再構成することができる。さらに、保持空洞５８とピン室１８との間で変更球５６を動かす場合、一般に、このプロセスにおけるある時点で、すべての変更部材がそれぞれのピン室に戻って錠がリセットされる。認可されているユーザ鍵または作動可能なユーザ鍵が鍵穴に差し込まれている、または鍵が差し込まれていない状態で、すべの変更部材５６がピン室にあるときには、錠はリセット構成にある。この第２の実施形態において使用される輪郭位置６６の場合、図２Ａ〜図１２Ｂにおける第１の実施形態について上述した「自動的な」変更も防止され、これについ
ては後から詳しく説明する。
【００６３】
図１６Ａは、第１の鍵３０ａにおいては、第１および第３の輪郭位置６８，７２が持ち上がっており、残りの輪郭位置７０，７４，７６，７８が下がっていることを示している。錠がリセットされた後、第１の鍵３０ａを初めて使用すると、第１および第３のピン室１９，２３の中の変更球５６がせん断線３８より上に持ち上がり、プラグを回転させると、図１６Ａおよび図１６Ｂに示したように、各保持空洞５８における第２のポジションに落下または移動する。
【００６４】
錠１０は、変更具６４を使用することによって、鍵のセットにおける第２の鍵６２ａによって作動するようにリセットすることができる。この変更を実施するため、プラグ１６は、変更溝８８として示した第２の通路を含んでいる。変更溝８８は、縦軸線５４に平行な方向にプラグ１６に形成されており、保持空洞５８のそれぞれと交差するように配置されている。プラグ１６が回転して保持空洞５８がドライバ室４０と整列し、変更具６４が変更溝８８に完全に差し込まれると、保持空洞５８の中に位置している変更球５６は保持空洞５８を出てハウジング１２におけるドライバ室４０に移動する。これによって、変更球５６をドライバ２０およびタンブラ２２のスタックに容易に戻すことができ、錠１０がリセットされる。
【００６５】
本発明のこの実施形態の錠１０を使用する方法では、鍵のセットにおける多数の異なる鍵のうち１本の鍵のみによって作動するように錠を再構成する目的で、錠のドライバ、タンブラ、および変更球の内部構成を迅速に変更する手段を提供する。迅速に変更できる錠のこの使用方法では、分解、すなわちハウジングからプラグを取り外す必要がない。この方法では、まず、第１の鍵３０ａによって作動するようにプログラムまたは構成されている錠１０の縦鍵穴２４に、第１の鍵３０ａを差し込む。次いで、この第１の鍵３０ａを使用して、ハウジング１２の中でプラグ１６を回転させることができる。プラグ１６を１／４回転（すなわち、図示した実施形態においては約９０゜）だけ右回りに回転させて、変更溝８８とドライバ室４０の位置を合わせた後、変更具６４を変更溝８８に差し込むことができ、これによって、保持空洞５８の中に位置されている変更球５６がドライバ室４０に追い出される。次いで、変更具６４が差し込まれた状態で、プラグ１６を１／４回転だけ左回りに元のポジションまで回転させる。次いで、第１の鍵３０ａを鍵穴２４から抜く。第１の鍵３０ａを鍵穴から抜くと、ドライバ２０の上に配置されているドライバばね２６によって、変更球５６がドライバ室４０からタンブラ室に押し込まれる。これによって錠がリセットされ、言い換えれば、錠がリセット構成になる。次いで、第２の鍵６２ａを差し込む。第２の鍵６２ａは、第１の鍵３２ａとは異なるが補足的である上縁輪郭３２を有し、すなわち、持ち上がっている２つの輪郭位置６６が異なっていることを除いて、第１の鍵３０ａの上縁輪郭３２と類似している。鍵６２ａが差し込まれると、図１８Ａおよび図１８Ｂに示したように、少なくとも２つの変更球５６がせん断線３８より上に持ち上がり、ハウジング１２のドライバ室４０に位置する。第２の鍵６２ａおよびプラグ１６を１／４回転だけ右回りに回転させると、保持空洞５８がハウジング１２のドライバ室４０と整列する。次いで、変更具６４を変更溝８８から抜き、これによって、ドライバ２０の上に配置されているドライバばね２６により、せん断線３８より上に位置している変更球５６が対応する保持空洞５８に押し込まれる。第２の鍵６２ａをプラグ１６と共に元のポジションまで回転させると、押し込まれた変更球５６は、ピン室１８から離れた保持空洞５８の中に位置したままであり、これによって、第２の鍵６２ａによって作動するように錠が再構成される。
【００６６】
図示した第２の実施形態について、以下にさらに詳しく説明する。この第２の実施形態の錠１０は、第１の鍵３０ａが鍵穴２４に差し込まれており、かつ、第１および第３の変更球５６が各保持空洞５８に位置している状態を描いてある。第１の鍵３０ａは錠１０を
作動させることができ、なぜなら、この鍵を差し込んだときに、いずれのピン室１８のいずれのドライバ部材およびタンブラ部材、およびいずれの変更球５６も、せん断線３８をまたがないためである。第１の鍵３０ａの上縁輪郭３２は、第１および第３の輪郭位置６８，７２が持ち上がった位置にあり、残りの４つの輪郭位置７０，７４，７６，７８が下がった位置にある。図１６Ａおよび図１６Ｂは、第１の鍵３０ａが差し込まれたときに、下がった輪郭位置７０，７４，７６，７８によって、変更球５６が各タンブラ室４２の中に位置している状態に維持されることを示している。持ち上がった第１および第３の輪郭位置６８，７２は、ドライバ２０が第１および第３のドライバ室４０の中に完全に入った状態でドライバ２０の下端部３４がせん断線３８に沿って位置するように、ドライバ２０およびタンブラ２２を持ち上げる。第１および第３のピン室１９，２３に関連付けられている変更球５６は、プラグ１６における対応する保持空洞５８に移動している。
【００６７】
次に、図１７Ａ〜図２１Ｂを参照する。錠１０を分解することなく、第２の鍵６２ａを受け入れるように錠１０をリセットして再構成することができる。図１７Ａおよび図１７Ｂにおいては、錠１０は、第１の鍵３０ａが差し込まれてプラグ１６が１／４回転だけ右回りに回転しており、保持空洞５８がドライバ室４０と整列している状態を示してある。変更具６４が変更溝８８に差し込まれており、これによって、変更球５６が、保持空洞５８から、第１および第３のピン室１９，２３に関連付けられているドライバ室４０に追い出されている。
【００６８】
変更具６４が変更溝８８に依然として差し込まれている状態で、プラグ１６を１／４回転だけ左回りに元のポジションまで回転させる。プラグ１６が元のポジションに回転するとき、変更球５６は、ハウジング１２の中のドライバ室４０の中に位置したままである。次に、図１８Ａおよび図１８Ｂを参照する。第１の鍵３０ａが錠１０から抜かれて、第２の鍵６２ａが差し込まれている。第２の鍵６２ａは、図示した実施形態に示したように、第１および第５の輪郭位置６８，７６が持ち上がっており、これらの輪郭位置によって、（ピン室１９，２７に対応する）第１および第５のポジションにおける変更球５６がせん断線３８より上に持ち上がる。
【００６９】
次に、図１９Ａおよび図１９Ｂを参照する。次いで、プラグ１６と、差し込まれている第２の鍵６２ａとを１／４回転だけ右回りに回転させ、変更溝８８とドライバ室４０の位置を合わせる。次いで、変更具６４を変更溝８８から抜くと、第１および第５のポジションにおけるドライバ２０の上に配置されているドライバばね２６によって、各変更球５６が保持空洞５８に押し込まれる。次いで、図２０Ａおよび図２０Ｂに示したように、第２の鍵６２ａを元のポジションまで回転させると、錠１０はリセットされ、第２の鍵６２ａが錠１０を作動させることができるように再構成されている。図２１Ａおよび図２１Ｂは、第１の鍵３０ａがこの錠を作動させることができないことを示しており、なぜなら、第５のピン室２７のドライバ２０がせん断線３８をまたいでおり、プラグ１６の回転を阻止するためである。
【００７０】
図２２Ａ〜２２Ｎは、本発明の錠の第２の実施形態を作動させることのできる鍵のサブセットにおける、さまざまな別の鍵を示している。図２２Ａ〜２２Ｎにおける鍵のそれぞれは、変更球のうち２つのみを錠１０のせん断線３８より上に持ち上げるように構成されている。すべての鍵は相異なっている。すなわち、鍵は、持ち上がった２つの輪郭位置６６のパターンが同じである２本の鍵が存在しないように、２つの持ち上がった輪郭位置６６が鍵ごとにずれているように構成されている。この構成によって、錠１０の第１の実施形態の場合のように変更具６４を使用せずに錠１０が自動的に変更されることが、防止される。変更球５６が保持空洞５８における第２のポジションに移動しているピン室１８に対応する鍵側の輪郭位置６６が下がっている場合には、錠１０において鍵が作動しないことを理解できるであろう。下がった輪郭位置６６が、各保持空洞における第２のポジショ
ンにおける変更球５６と一致する場合、対応するピン室１８の中のドライバ２０が錠１０のせん断線３８をまたぎ、プラグ１６が回転することができない。図２２Ａ〜２２Ｎにおける鍵のサブセットに示したように、鍵における２つの高い輪郭位置６６をずらすことによって、作動鍵を除き、使用する任意の鍵において、変更球５６が保持空洞５８に移動しているピン室１８には、下がった輪郭位置６６が必ず対応する、または位置が合う。このことは、図２０Ａおよび２１Ａを参照してさらに具体的に見ることができる。図２０Ａにおいては、作動可能な第１の鍵３０ａが錠１０に差し込まれている。この第１の鍵３０ａは、第１および第５の輪郭位置６８，７６が持ち上がっている。これらの第１および第５の輪郭位置６８，７６に対応する変更球５６は、対応する保持空洞５８に移動している。ピン室１８の中のいずれのドライバ部材またはタンブラ部材も、錠１０のせん断線３８をまたいでいない。第１の鍵３０ａは、ハウジングの中でプラグ１６を回転させることによって、錠を作動させることができる。図２１Ａにおいては、第１の鍵３０ａが抜かれて、第２の鍵６２ａが差し込まれている。第２の鍵６２ａは、変更球５６が保持空洞５８に移動しているピン室１８に対応する輪郭位置６６のうち、少なくとも１つが下がっている。具体的には、変更球５６が対応する保持空洞５８に移動している第５のピン室２７と位置が合っている第５の輪郭位置７６が、下がっている。この第２の鍵６２ａは、第５のピン室２７の中のドライバ２０およびタンブラ２２を十分な高さに持ち上げることができず、このためドライバ２０がせん断線３８をまたぐ。従って、第２の鍵６２ａは、図２１に示した再構成された錠１０を作動させることができない。
【００７１】
図１６Ａ〜２２Ｎに図示した実施形態では、それぞれ同じ長さのタンブラを描いてあるが、これは、本発明の動作原理の説明を容易にするためである。しかしながら、代替実施形態においては、一連のタンブラ室の中の各タンブラの長さは、異なっていることができる。錠のタンブラのセットが選択されたとき、第１の鍵３０ａの上縁輪郭３２は、この第１の鍵３０ａが鍵穴に差し込まれたときに、いずれか２つのタンブラ２２の上縁部３６がせん断線３８まで持ち上がるように、本実施例における輪郭高さより高く、または低く形成された、すなわち機械加工された輪郭位置を持つ。２つのタンブラ２２に対応する２つの輪郭位置は、２つの変更部材が持ち上がって各保持空洞に移動するように構成されている。この実施形態における第２の鍵６２ａは、２つの輪郭位置６６の異なる対が、対応する２つの変更部材５６を持ち上げて各保持空洞５８に移動させるように構成されていることを除いて、第１の鍵３０ａの上縁輪郭３２に類似している、異なるが補足的な上縁輪郭３２を持つ。
【００７２】
本発明の第２の実施形態のさらなる代替においては、サブセットにおける各ユーザ鍵が、鍵穴２４に差し込まれたときに４つの変更球を錠１０のせん断線３８より上に持ち上げることができるように、鍵のサブセットを構成することができる。ユーザ鍵のサブセットにおける各ユーザ鍵は、４つの持ち上がった輪郭位置６６を持つように構成されており、この場合、４つの持ち上がった輪郭位置６６のパターンは、鍵ごとに異なっている。４つの輪郭が持ち上がっている鍵のサブセットにおける鍵の最大本数は、本明細書において前述した、２つの輪郭が持ち上がっている鍵のサブセットの場合の最大本数と同じである。４つの輪郭が持ち上がっている鍵は、「偶然の開錠」の可能性が減少するという別の利点を有する。「偶然の開錠」は、高さがわずかに異なる輪郭位置を１つ以上持つ、鍵のサブセットには含まれていない鍵によって錠が開くことである。その鍵が鍵穴に差し込まれたとき、わずかに異なる輪郭の高さによって、変更球の中心線が偶発的にせん断線３８より上に持ち上がることがある。変更球の中心線がせん断線よりわずかに上であると、ハウジングのボアの中でプラグが回転したときに変更球がドライバ室に押し込まれ、その後、プラグの回転時に保持空洞の中に移動する。正規のユーザ鍵が錠に差し込まれたとき、偶発的に移動した変更球がピン室の中に存在しないため、その鍵ではドライバ２０がせん断線よりも上に持ち上がらず、従ってその正規の鍵が作動不能になる。
【００７３】
第２の実施形態のさらに別の代替においては、個々のユーザ鍵が、鍵穴に差し込まれてプラグが回転するときに異なる数の変更球を錠のせん断線より上に持ち上げるように、作動鍵のサブセットを構成することができる。この代替実施形態においては、サブセットにおける各鍵は、いずれかの鍵がサブセットにおける別の鍵の持ち上がった輪郭位置すべてを持つことがないように、構成しなければならず、なぜなら、そのような状況においては、前者の鍵は、後者の「別の鍵」によって作動する錠の構成を、変更具を使用する必要なしに自動的に変更することができるためである。異なる数の変更球を持ち上げることのできる鍵のサブセットを使用する場合、一般には、変更具を必要とする鍵のサブセットにおける鍵の合計数が制限される。例えば、各鍵が２つの変更部材、３つの変更部材、または４つの変更部材を持ち上げることのできる鍵のサブセットと、６室の錠の場合、一般に、可能な組み合わせは１０未満に制限される。これと比較して、６室の錠と、２つの輪郭位置が持ち上がっており２つの変更部材を動かすのみである鍵のサブセット、または、４つの輪郭位置が持ち上がっており４つの変更部材を動かすのみである鍵のサブセットとの場合、可能な組み合わせは１５であり、６室の錠と、３つの変更部材を動かすのみである鍵のサブセットとの場合、可能な組み合わせは１０である。
【００７４】
サブセットにおけるユーザ鍵のすべてを、錠１０を作動させることができないようにする目的で、操作者は、すべての輪郭位置６６が持ち上がっている（図示していない）、または、ユーザ鍵のサブセットにおけるいずれかの鍵において持ち上がっている輪郭位置６６のすべてが少なくとも持ち上がっている、「ロックアウト」鍵を持つことができる。ロックアウト鍵（プログラム鍵または構成鍵と称することもできる）を使用すると、鍵穴に差し込んだとき、以前にどのユーザ鍵が錠を作動させることができたかに関係なく、残りの変更球５６がせん断線３８より上に持ち上がる。このロックアウト鍵を（図示した実施形態においては）単に１／４回転だけ右回りに回転させる、従って、保持空洞５８をハウジングのドライバ室４０に整列させることによって、すべての変更球５６がばね２６によってドライバ室４０から保持空洞５８に押し込まれる。これによって、錠１０は「ロックアウト」鍵によってのみ作動可能となる。操作者がサブセットにおける別のユーザ鍵を使用しようとしても、下がった輪郭位置６６における１つ以上のドライバ２０が十分な高さまで持ち上がらず、そのドライバ２０がせん断線３８をまたぐ。
【００７５】
好ましい実施形態においては、錠には、鍵およびプラグが第１の回転ポジション（または鍵差込みポジション）にあることをユーザに伝える手段が設けられている。一般的なプラグポジショニング手段は、戻り止め（ｄｅｔｅｎｔ）およびピンである。図４２に示したように、プラグ１６の周囲に、第１の戻り止め空洞１６０が設けられており、一般には丸穴（ｒｏｕｎｄｅｄ  ｈｏｌｅ）または円筒状の穴である。戻り止め球１６４として示した戻り止めピンは、第１の戻り止め空洞１６０の中に配置されており、戻り止めばね１６２として示した付勢手段によって、半径方向外側にプラグのせん断線または周囲の方に付勢されている。第２の戻り止め空洞１６６は、ハウジング１２の円筒状部分１１のボア１４の内面に位置しており、図４２には、ハウジング１２の円筒状部分１１に形成されている穴として示してある。戻り止め手段は、プラグ１６におけるタンブラ室がハウジング１２のドライバ室４０と整列しているときに、第１の戻り止め空洞１６０と第２の戻り止め空洞１６６とが互いに整列して位置が合うように構成されている。第２の戻り止め空洞１６６は、戻り止め球１６４のサイズまたは直径よりも小さいサイズまたは直径を有し、従って、第１の戻り止め空洞と第２の戻り止め空洞が整列しているときに、戻り止め球は実質的に第１の戻り止め空洞１６０の中に保持される。一般に、第１の戻り止め空洞１６０は、保持空洞５８の反対側においてプラグ１６に形成されている。さらに、第１の戻り止め空洞１６０は、一般に、どの保持空洞５８からも長手方向にずれた位置において、プラグ１６に配置されている。これによって、プラグ１６がハウジング１２の中で一周したときに、第１の戻り止め空洞１６０は、どの保持空洞５８またはドライバ室４０とも位置が合う、または整列することができない。これによって、プラグポジショニング手段の動
作と、ドライバ室４０と保持空洞５８との間の変更球５６の動きとが干渉することが回避される。
【００７６】
作動時、プラグが、図４３Ａに示した第１の回転ポジションにあるとき、第１の戻り止め空洞１６０と第２の戻り止め空洞１６６とが整列しており、戻り止め球１６４は、戻り止めばね１６２によって付勢された状態で、その一部が第１の戻り止め空洞１６０から飛び出して、第２の戻り止め空洞１６６内に密着している。
【００７７】
作動鍵３０ａが錠に差し込まれて、図４３Ｂに示した第２の回転ポジションの方に回転するときには、戻り止め球１６４はボア１４の内面によって第１の戻り止め空洞１６０の中に完全に押し込まれ、ハウジング１２の円筒状部分１１の内面によってその状態に保持される。本明細書において説明したように錠を再プログラムした後、錠を第１の回転ポジションの方に回転させる。プラグが第１の回転ポジションまで戻ると、第１の戻り止め空洞１６０と第２の戻り止め空洞１６６が再び整列する。ユーザは、戻り止め球１６４が戻り止めばね１６２によって第２の戻り止め空洞１６６の内縁部に衝突する音を聞き、その衝撃を鍵を通じて指に感じることができる。このことは、鍵を抜き差しするポジションまでプラグが戻り、ハウジング内に正しく整列しており作動鍵を錠から抜くことができる状態であることを伝える。
【００７８】
錠を作製するときに戻り止め手段を形成する一般的な方法について説明する。ハウジング１２の中でプラグ１６が動かないように固定し、タンブラ室４２とドライバ室４０とが整列している状態で、ハウジングの円筒状部分１１にドリルで穴をあけて第２の戻り止め空洞１６６を形成し、プラグ１６にも途中まで穴をあける。この穴あけを容易にする目的で、円筒状部分１１の外面に小さな平らな面を機械加工することができる。次いで、プラグを取り外し、いまあけた途中までの小さな穴を中心として、それより大きな直径の穴をあけ、第１の戻り止め空洞１６０を形成する。次いで、プラグ１６をハウジング１２のボア１４に差し込むときに、戻り止めばね１６２およびその上の戻り止め球１６４を第１の戻り止め空洞１６０に挿入して球を保持する。好ましい戻り止めばねは、サイズ０１３程度のステンレス鋼ワイヤであり、Ｗ．Ｂ．  Ｊｏｎｅｓ  Ｓｐｒｉｎｇ  Ｃｏ．，  Ｉｎｃ．社（ケンタッキー州Ｗｉｌｄｅｒ）から部品番号Ｃ０９０ｘ０１３ｘ１９０として購入することができる。
【００７９】
随意に、本発明の錠は、変更具を差し込んで錠をリセットするための、ハウジングにおける第２の回転ポジションまでプラグが回転したことをユーザに伝える、第２のプラグポジショニング手段を有するように構成することができる。
【００８０】
次に、図２３Ａ〜図２８Ｂを参照する。これらの図には、保持空洞に関連付けられている少なくとも１つの記憶ブロックを備えている、本発明の第３の実施形態を示してあり、類似する構成要素は類似する番号によって表してある。記憶ブロック９０は、錠１０のプラグ１６に配置されており、変更溝８８および保持空洞５８と交差するように構成されている。記憶ブロック９０は、その時点で作動可能なユーザ鍵以外のユーザ鍵を使用して、錠１０におけるドライバ、タンブラ、および変更球の構成が不正に変更されることを防止する。記憶ブロック９０は、保持空洞５８の開口を部分的に遮断し、従って、変更球５６が開口を通って保持空洞５８の中に収まることができないようにすることによって、これを達成する。認められているユーザは、変更具６４を差し込んで記憶ブロック９０を変更溝８８から離れた位置に移動させ、保持空洞５８の開口全体を露出させることができる。
【００８１】
図２３Ａおよび図２３Ｂは、記憶ブロック９０を有する錠１０を示しており、錠１０を作動させることのできる第１の鍵３０ｂが差し込まれている。記憶ブロック９０は、複数の記憶ブロックばね９２に関連付けられている単一のブロック部材を備えており、記憶ブ
ロックばね９２は、記憶ブロック９０の側縁部９６に動作自在に連結されている第１の端部９４と、プラグ１６に位置する内壁１００に動作自在に連結されている第２の端部９８とを有する。記憶ブロックばね９２は、記憶ブロック９０が保持空洞５８の開口と重なり、これによって開口のサイズが縮小するように、記憶ブロック９０を保持空洞５８の方向に付勢している。図２３Ａにおいてわかるように、第１のピン室１９に関連付けられている変更球５６は、対応する保持空洞５８における第２のポジションに位置している。ピン室１８の中の各ドライバ２０は、その下端部３４がせん断線３８と同じ高さであり、せん断線３８をまたがないように位置しており、従って、プラグ１６はハウジング１２の中で回転することができる。
【００８２】
次に、図２４Ａおよび図２４Ｂを参照する。錠１０は、第１の鍵３０ｂが差し込まれており、プラグ１６が錠１０において１／４回転だけ右回りに回転している状態を描いてある。変更具６４が変更溝に差し込まれており、この結果として次の２つが起こる。すなわち、（１）変更具６４によって、記憶ブロック９０が保持空洞５８から離れた位置に移動し、従って、保持空洞５８の開口のサイズ（直径）全体が露出する。（２）変更具６４によって、保持空洞５８の中に位置していた変更球５６が、各ドライバ室４０の中に移動する。図２４Ａに示した実施形態においては、変更具６４によって、変更球５６が第１のドライバ室４０に移動している。
【００８３】
記憶バー９０は、図２３Ａに示した斜角部９３を有するように構成されており、この斜角部は、図１においてインジケータマーク１１４として示してある変更溝８８の入口開口付近に、変更溝８８に沿って位置している。変更具６４が変更溝８８に差し込まれると、変更具６４が斜角部９３と係合し、保持空洞５８の開口の直径全体が露出するのに十分なだけ、記憶バー９０が半径方向に内壁１００の方に付勢される。
【００８４】
変更具６４が依然として差し込まれた状態で、プラグ１６を１／４回転だけ左回りに元のポジションまで回転させる。図２５Ａおよび図２５Ｂに示したように、第１の鍵３０ｂが抜かれ、第２の鍵６２ｂが差し込まれている。第２の鍵６２ｂは、第１の鍵３０ｂとは異なる上縁輪郭３２を持つ。図示した実施形態においては、第２の鍵６２ｂでは第３の輪郭位置７２が持ち上がっているのに対し、第１の鍵３０ｂにおいては、この輪郭位置は下がっていた。図２５Ａに示したように、第２の鍵６２ｂは、第１および第３のピン室１９，２３に関連付けられている変更球５６をせん断線３８より上に持ち上げる。残りのピン室１８それぞれの中のドライバ２０は、下端部３４がせん断線３８に沿って位置している状態で、ハウジング１２のドライバ室４０の中に位置している。この構成においては、プラグ１６はハウジング１２の中で回転することができる。変更具６４は、依然として変更溝８８に差し込まれており、従って、記憶ブロック９０は保持空洞５８の開口から離れて位置したままであり、従って、記憶ブロック９０によって開口の直径が減少していない。
【００８５】
次に、図２６Ａおよび図２６Ｂを参照する。プラグ１６と、差し込まれている第２の鍵６２ｂとが、１／４回転だけ右回りに回転し、保持空洞５８および変更具６４（依然として変更溝８８に差し込まれている）がドライバ室４０と整列している。差し込まれている変更具６４は、斜角部９３と係合し、記憶ブロック９０を保持空洞５８の開口から離れた位置に付勢している。第１および第３のピン室１９，２３の変更球５６は、依然として各ドライバ室４０の中に、せん断線３８より上、保持空洞５８のすぐ上に位置している。
【００８６】
次いで、変更具６４を変更溝８８から抜く。変更具６４の全長のうち少なくとも一部が変更溝８８の入口の中に依然として存在して斜角部９３と係合している限りは、記憶ブロック９０は、保持空洞５８の開口から離れた位置に付勢されたままである。従って、変更具６４の末端部が各ドライバ室４０の下を通過すると、ドライバ室４０の中、せん断線３８より上に位置している変更球５６は、ドライバばね２６によって、対応する保持空洞５
８に開口を通じて押し込まれる。
【００８７】
変更具６４が変更溝８８から完全に抜かれて、ドライバ室４０の中に位置していた変更球５６が保持空洞５８の中に押し込まれた後、図２７Ａおよび図２７Ｂに示したように、記憶ブロック９０が、記憶ブロックばね９２のばね力によって保持空洞５８の方に付勢される。これにより、保持空洞５８の開口の大きさが再び減少し、従って、変更球５６が保持空洞５８に出入りするには、保持空洞５８の開口の有効な大きさが小さすぎる。
【００８８】
変更具６４が抜かれている状態で、ハウジング１２の中でプラグ１６を１／４回転だけ左回りに元のポジションまで回転させる。図２８Ａおよび図２８Ｂにおいてわかるように、記憶ブロック９０は、付勢ばね９２のばね力によって保持空洞５８の開口の方に付勢されたままである。残りの第２、第４、第５、第６の輪郭位置７０，７４，７６，７８のうちの１つ（またはこれらの輪郭位置の任意の組み合わせ）が持ち上がった輪郭位置６６である以降の鍵が挿入されると、少なくとも１つのさらなる変更球５６がせん断線３８より上に移動する。しかしながら、変更具６４を挿入して記憶ブロック９０を開くことなく錠１０を回転させた場合、変更球５６がドライバ室４０から保持空洞５８に移動することができない。このように、記憶ブロック９０を使用することにより、以降の鍵は、変更具６４を使用しない限り、ドライバ２０、タンブラ２２、および変更球５６の構成を変更することができない。同様に、第１の鍵３０ｂを再び差し込んだとき、錠１０は作動せず、なぜなら、第３のピン室２３のドライバ２０が錠１０のせん断線３８をまたいで位置するためである。
【００８９】
図示した実施形態では、保持空洞のすべてを一度に覆うかまたは露出させる、単体の記憶バー９０を使用している。これに代えて、各保持空洞に対して、または複数の保持空洞に対して、個別の記憶バーを設けることができる。
【００９０】
錠１０のハウジング１２とプラグ１６は、それぞれ、錠１０を再プログラムするときに変更具６４と併せて使用するインジケータマーク１１４，１４４を含んでいることができる。
【００９１】
図１および図３７を参照する。錠１０を変更する目的で、縦方向の変更溝８８に挿入する変更具６４が設けられている。変更具６４は、前述したように錠１０と一緒に使用するのに適するように構成されており、握り部分１３６とブレード部分１３８とを有する。ブレード部分１３８は、差し込むときにブレード部分１３８が保持空洞５８を容易に通過するための斜縁端部１４１を有する。上述したように、この変更具６４を使用すると、別の第２の鍵６２ａによる錠１０の作動を容易にする目的で、錠１０のドライバ機構を容易に変更することができる。ブレード部分１３８は、変更溝８８に完全に差し込まれたときに各保持空洞５８から各変更球５６を持ち上げるように構成されている直線縁部１４３を有する。さらに、変更具６４は、変更具切欠き溝１４２に挿入されるようにされている変更具切欠き１４０を含んでいることができ、変更具切欠き溝１４２は、ハウジング１２の周囲に配置することができる（図１１Ａ参照）。切欠き１４０は、保持空洞５８またはタンブラ室４２がドライバ室４０と整列していない限りは変更具６４が変更溝８８から抜かれることを阻止する目的で、溝１４２と位置が合うことができる。
【００９２】
図２３〜図２８に図示した実施形態のプラグ１６は、金属シリンダ、一般には円筒状のバーストック材料に、複数のタンブラ室４２と、複数の保持空洞５８と、変更溝８８とを機械加工することによって作製することができる。これに代えて、複数のタンブラ室のみを有する既存の従来のプラグを、複数の保持空洞と変更溝８８とを機械加工することによって改良することができる。
【００９３】
変更可能な錠のプラグを作製するための第１の方法においては、標準の錠のプラグを用意して機械加工する。このステップは、一般には、錠のハウジングからプラグを取り外すことによって既存の標準の錠を分解するステップと、錠のプラグからばねやピン類（ドライバ、タンブラ、およびマスターシム）などのハードウェアを取り外すステップと、これによって標準の錠のプラグを回収するステップと、を含む。
【００９４】
標準の錠のプラグは、鍵穴と、軸方向の中心線と、円周面とを有する。さらに、標準の錠のプラグは、円周面を貫いて延びている複数のタンブラ室４２を、軸方向の中心線に平行に延びる第１の線に沿って有する。各タンブラ室は、鍵穴の中に延在しており、隣接するタンブラ室から第１の距離だけ隔てられている中心線を持つ。一般には、隣り合うタンブラ室は、同一の第１の距離だけ隔てられている。
【００９５】
次のステップにおいて、標準の錠のプラグを機械加工して、複数の保持空洞５８を標準の錠のプラグに形成する。保持空洞は、軸方向の中心線に平行に、従って複数のタンブラ室４２のラインに平行に延びる第２の線に沿って、円周面を貫いて形成する。各保持空洞は、一部がプラグ本体の中に延在する。第２の線は、それによって保持空洞が、タンブラ室の第１の線から円周面に沿ってある弧角だけ半径方向に隔てられる位置である。一般には、弧角は、第１の線に対して約３０゜〜約１６０゜、より一般的には約４５゜〜約１３５゜である。
【００９６】
一般的な実施形態においては、保持空洞は、少なくともその直径、より一般的には直径の少なくとも１０５％の深さに、プラグ本体に機械加工する。一般的な保持空洞の直径は、約０．０５０インチ（約１．３ｍｍ）〜０．０９０インチ（約２．３ｍｍ）であり、サイズ、または直径は、一般には、ハウジングのドライバ室の中に配置されているドライバおよびマスターシムの直径より小さい。より一般的には、保持空洞の直径は、ドライバのサイズ（直径）の約９５％以下の直径に加工する。一般には、保持空洞は、標準のボール盤によって形成する。
【００９７】
次のステップにおいて、第２の穴のラインと同じ線に沿って、プラグの外面に軸方向沿いに溝を切断する。この溝は、実施形態においては変更溝８８として示してある。この溝は、一般的には、プラグの円周面を貫いて半径方向内側に中心軸の方に延在しているＵ形状または長方形の断面として形成する。この溝は、一般には、保持空洞とほぼ同じ深さと、約０．０４インチ（１．０ｍｍ）以下、より一般には約０．０２インチ（０．５ｍｍ）以下の幅とを有するように形成する。この溝は、一般には、プラグの前面１３からプラグのラッチ端部１５まで、各保持空洞の中心を通過しながら、縦方向全体にわたり延びている。この溝は、丸鋸など、任意の周知の手段によって切断することができる。
【００９８】
保持空洞と溝を形成した後、ドライバ、タンブラ、ばね、および変更球を、あらかじめプログラムした配置構成に再び取り付けることによって、錠を再び組み立てる。変更球は、一般には、本明細書において上述したように、保持空洞の深さ以内に収まる大きさの球状の変更球である。
【００９９】
一般的な方法においては、プラグ本体は、その中心軸の周りに回転することができるように、クランプなどによって固定する。最初に、プラグを、タンブラ室と基準点の位置が合う第１のポジションに固定する。基準点は、ボール盤に位置を合わせる。ボール盤は、ある切削速度で回転するドリル用ビットを操作して、プラグ面の外側の第１の位置から、プラグの中にある深さだけ入った第２の位置まで、ドリル用ビットの軸に沿ってドリル用ビットを動かすことができる。次いで、第１のポジションから所定の弧角だけ半径方向に隔てられている第２のポジションまで、軸を中心にプラグを回転させる。次いで、ボール盤を動作させて、保持空洞を所定の深さに加工する。また、ボール盤は、プラグの縦軸線
に沿って動くようにもされており、これによって、プラグの第２の線に沿って一連の保持空洞を加工していき、複数の保持空洞を形成することができる。より一般には、ボール盤は、間隔を置いて配置されている複数のドリル用ビットを備えており、これによって、複数の保持空洞を同時に加工することができる。
【０１００】
変更可能な錠のプラグを作製するための第２の方法においては、錠のベースプラグを用意して機械加工する。ベースプラグは、一般には、鍵穴を持つように形成された円筒状本体である。この方法においては、タンブラ室および保持空洞と変更溝の両方を、プラグ本体の円周面に加工する。複数のタンブラ室は、一般にはボール盤によって、軸方向の中心線に平行に延びる第１の線に沿って円周面を貫いて加工し、各タンブラ室は鍵穴の中に延在する。一般には、タンブラ室は、鍵穴の底部とは反対（１８０゜）の位置においてプラグの面を貫通している。次いで、複数の保持空洞を、第１の方法について上述したように第２の線に沿って円周面を貫いて加工する。
【０１０１】
一般的な方法においては、ベースプラグ本体は、その中心軸の周りに回転することができるように、クランプなどによって固定する。最初に、第１の保持空洞の軸方向の中心線を表す基準点にボール盤の位置が合う第１の位置に、ベースプラグを固定する。ボール盤は、ある切削速度で回転するドリル用ビットを操作して、プラグ面の外側の第１の位置から、プラグの中にある深さだけ入った第２の位置まで、ドリル用ビットの軸に沿ってドリル用ビットを動かすことができる。プラグの円周面を貫いて鍵穴の中に第１のタンブラ室が加工されるように動作するように、ボール盤を設定する。次いで、第２のタンブラ室の軸方向の中心線に一致する次の位置まで、プラグの縦軸線に沿ってボール盤を動かす。ボール盤をもう一度動作させて、第２のタンブラ室を加工する。このようにして、連続するタンブラ室を加工することができる。これに代えて、ボール盤に、間隔を置いて配置されている複数のドリル用ビットを取り付けることができ、これによって、必要な保持空洞を第１の線に沿って同時に加工することができる。
【０１０２】
次いで、第１のポジションから所定の弧角だけ半径方向に隔てられている第２のポジションまで、軸を中心にプラグを回転させる。次いで、ボール盤を動作させて、上述したように各保持空洞を所定の深さに加工する。
【０１０３】
これに代えて、個別のボール盤によって、一連のタンブラ室と保持空洞を連続的または同時にベースプラグに加工することができ、この場合、プラグ本体を回転させる必要はない。
【０１０４】
さらに、変更溝を、複数の保持空洞を通過するように、第２の線に沿って形成する。変更溝は、一般には、所定の位置に固定して丸鋸によって加工する。変更溝を形成するステップは、プラグが保持空洞の加工時と同じ位置にある状態で、実行することができる。
【０１０５】
次に、図２９Ａ〜図３６Ｂおよび図３９Ａ〜図３９Ｃを参照し、これらの図においては、類似する構成要素は類似する番号によって表してある。図示した別の代替実施形態においては、本発明のプラグ１６は、プラグ１６の縦軸線５４から半径方向外側に延在している、プラグ１６の周囲に配置されたラジアル溝１０２の形式における少なくとも１つの第１の溝を、随意に含んでいることができる。このラジアル溝１０２は、プラグ１６の外周からその内部に空洞を形成している。鍵穴２４には、溝もしくは隆起、またはその両方の縦輪郭４４と上縁輪郭３２とを有する第１の鍵３０ｃを差し込むことができる。ラジアル溝１０２にラジアルタンブラ１０４を配置することができ、このラジアルタンブラ１０４は、鍵穴２４の中に延在する末端部１０６を含んでいる。
【０１０６】
ラジアルタンブラ１０４は、ラジアル溝１０２の中でプラグ１６の縦軸線５４の周りに
円周方向に動くように構成することができる。ラジアルタンブラ１０４は、ラジアルタンブラばね１０８によってプラグ１６の鍵穴２４の方に付勢されている。この結果、鍵が存在しないときには、ラジアルタンブラ１０４の末端部１０６が鍵穴２４の中に突き出す。従って、第１の鍵３０の上縁輪郭３２は、錠１０のせん断線３８に合致するようにドライバ２０およびタンブラ２２と変更球５６とを持ち上げる正しい形状でなければならず、それに加えて、第１の鍵３０の縦輪郭４４は、鍵穴２４の中に延在しているラジアルタンブラ１０４の末端部１０６に第１の鍵３０が向き合うことができ、かつ、プラグ１６が回転できるようにラジアルタンブラ１０４を正しく位置させることができる形状でなければならない。
【０１０７】
プラグ１６の側壁におけるラジアル溝１０２の中には、複数のラジアルタンブラ１０４を配置することができる。図解の便宜上、１つのみのラジアルタンブラ１０４について説明する。さらにこれに代えて、ラジアルタンブラの末端部１０６が鍵穴２４の両側に突き出すように、第２のラジアルタンブラ、あるいはラジアルタンブラの第２のセット（図示していない）をプラグ１６の反対側に設けることができる。
【０１０８】
ラジアルタンブラばね１０８は、ラジアルタンブラ１０４の上縁部１１０とプラグ１６の上側側壁１１２との間に、ラジアルタンブラ１０４と向き合う関係に位置している。このばね１０８は、ラジアルタンブラ１０４を上側側壁１１２から離れるように鍵穴２４の方に付勢している。ラジアルタンブラ１０４の末端部１０６は、図示した実施形態に示したように、鍵穴２４に差し込まれる鍵がラジアルタンブラ１０４を通過することができるように、斜めにすることができる。
【０１０９】
図示した実施形態の錠１０は、プラグ１６の周囲に形成されている縦方向のサイドバー溝１１８に配置されているサイドバー１１６を、さらに含んでいることができる。サイドバー１１６とサイドバー溝１１８は、いずれも、プラグ１６の縦軸線５４に実質的に平行な線に沿って延びている。サイドバー１１６をプラグ１６の縦軸線５４から半径方向外側に付勢する目的で、少なくとも１本のサイドバーばね１２０がプラグ１６の中に配置されており、サイドバー１１６に向き合っている。
【０１１０】
図示した実施形態のサイドバー１１６は、実質的にプラグ１６の長手方向に沿って延びており、その第１の側面に突出部１２２を含んでいる。この突出部１２２は、ハウジング１２のボアに形成されている第２の溝１２２に嵌まるようにされている。少なくとも１つの突起１２６が、サイドバー１１６の第２の側面から半径方向内側に、ラジアルタンブラ１０４の方に延びている。この突起１２６は、図示した実施形態においては、サイドバー１１６の突出部１２２の実質的に反対側に配置されている。サイドバーばね１２０は、図２９Ｂに示したように、プラグ１６が元のポジションにあるときに、サイドバー１１６の突出部１２２が第２の溝１２４の中に位置するように、サイドバー１１６をラジアルタンブラ１０４から離れる方に付勢している。図示した実施形態においては、サイドバー１１６を付勢する目的に、２本のサイドバーばね１２０が使用されている。
【０１１１】
ラジアルタンブラ１０４は、サイドバー溝１２８をさらに含んでおり、この溝は、サイドバー１１６が第２の溝１２４の中の突出部１２２によって所定の位置に保持されているときにも、ラジアルタンブラ１０４が円周方向に動くことができるようにする。ラジアルタンブラ１０４におけるサイドバー溝１２８の半径方向の深さは、突出部１２２が第２の溝１２４の中に配置されているときにサイドバー１１６の長さがちょうど格納されるだけの長さである。ラジアルタンブラ１０４は、サイドバー溝１２８から、プラグ１６の縦軸線５４に直交する方向、実質的に縦軸線５４の方に延びているサイドバー切欠き１３０、をさらに含んでいる。
【０１１２】
鍵穴２４に鍵が差し込まれていない、または作動不能な鍵が差し込まれている状態では、ラジアルタンブラ１０４は、サイドバー１１６がサイドバー切欠き１３０と半径方向に整列しない状態でラジアル溝１０２の中に位置していることができる。従って、プラグ１６を回転させようとしても、ハウジング１２の第２の溝１２４の中に突出部１２２が位置していることによって阻止される（図２９Ｂ参照）。鍵穴２４に（図３０Ｂに示したように）正しい第１の鍵３０が差し込まれると、サイドバー突起１２６がサイドバー切欠き１３０と半径方向に整列し、プラグ１６を回転させるときに、サイドバー１１６は第２の溝１２４からサイドバー切欠き１３０に移動することができる。
【０１１３】
正しい第１の鍵３０ｃを差し込んで、プラグ１６を回転させる前の時点では、タンブラ２２、ドライバ２０、および変更球５６のそれぞれは、ドライバ２０、タンブラ２２、および変更球５６のうち、せん断線３８に近い任意の２つの間の境界面がせん断線３８と同じ高さであるように、第１の鍵３０ｃの上縁輪郭３２によって持ち上げられる。また、プラグ１６が回転できるためには、第１の鍵３０ｃは、ラジアルタンブラ１０４の末端部１０６によって形成される鍵穴２４のパターンに合致する縦輪郭４４を持たなくてはならない。作動可能な第１の鍵３０ｃは、プラグ１６の片側にラジアルタンブラを有する錠１０、または、輪郭に合致するラジアルタンブラ１０４がプラグ１６の各側に配置されている錠１０、を作動させることができる。しかしながら、以下では、本発明の原理を説明する目的で、プラグ１６の片側における１つのラジアルタンブラ１０４のみについて説明する。
【０１１４】
正しい第１の鍵３０ｃが差し込まれると、サイドバー１１６の突起１２６が、第１のラジアルタンブラ１０４に配置されているサイドバー切欠き１３０と半径方向に整列するように、ラジアルタンブラ１０４が円周方向に動く。これにより、第１の鍵３０ｃの回転時、サイドバー突起１２６は、半径方向（内側）にラジアルタンブラ１０４の方、サイドバー切欠き１３０の中に動くことができる。第１の鍵３０ｃを回すと、サイドバーの突出部１２２が第２の溝１２４から出て、これにより、サイドバー１１６は、サイドバー１１６の突起１２６が第１のラジアルタンブラ１０４におけるサイドバー切欠き１３０に収容される位置まで、半径方向内側に動く。
【０１１５】
正しい第１の鍵３０ｃが錠１０に差し込まれ、ドライバ２０およびタンブラ２２が上述した配置状態にあるとき、ドアまたはその他の部材を開くことができるように、プラグ１６を回転させて、ドアのわき柱（ｊａｍｂ）の溝またはその他のくぼみからラッチ部材（図示していない）をはずすことができる。鍵の上縁輪郭３２が、錠１０を作動させるには不適切である場合、１つ以上のドライバ２０の一部がピン室１８のタンブラ室４２に突き出す、もしくは、１つ以上のタンブラ２２の一部がドライバ室４０に突き出す、またはこの両方によって、施錠の状態にプラグ１６が固定され、従って、錠１０が取り付けられているドアまたはその他の部材を開けることができない。さらに、変更球５６またはマスターシム６０がせん断線３８をまたぐことがあり、従って、プラグ１６の回転が阻止される。さらに、たとえ正しい上縁輪郭３２を有する鍵であっても、長手方向に沿った縦輪郭４４が、鍵穴２４の中に突き出すラジアルタンブラ１０４の末端部１０６によって形成される鍵穴２４の輪郭に合致する、あらかじめ選択されたデザインではない場合、錠１０を作動させることができない。そのような正しい縦輪郭４４では、サイドバー突起１２６とサイドバー切欠き１３０とが正しく整列する。
【０１１６】
図２９Ａ〜図３６Ｂを参照する。プラグ１６における鍵穴２４は、実質的に長方形の形状であり、プラグ１６の周囲の一部と交差している。鍵穴２４の境界は、プラグ１６の第１の内部側壁１３２と第２の内部側壁１３４とによって形成される。上述したように、ラジアルタンブラ１０４の末端部１０６は、鍵穴２４の第１および第２の内部側壁１３２，１３４の少なくとも一方の突起部を貫いて中に延在している。末端部１０６は、あらかじ
め選択された距離だけ鍵穴２４の中に突き出している。代替実施形態においては、複数のラジアルタンブラ１０４の末端部１０６が、第１および第２の内部側壁１３２，１３４の両方を貫いて突き出すことができる。
【０１１７】
錠１０を再プログラムする目的で、第１の鍵３０ｃ（もともと錠１０を作動させる正しい鍵である）を、鍵穴２４に差し込み（図３０Ａおよび図３０Ｂを参照）、プラグ１６の面１１５における第１のインジケータマーク１１４がハウジング１２の面における第２のインジケータマーク１４４と整列するまで、プラグ１６をハウジング１２に対して（左回りに１／４回転だけ）回転させる（図１、図３１Ａ、図３１Ｂを参照）。インジケータマーク１１４，１４４が整列すると、保持空洞５８がドライバ室４０と整列した状態となる。さらに、図３２Ａおよび図３２Ｂを参照する。次いで、変更具６４を変更溝８８に完全に差し込む。変更具６４が変更溝８８に完全に差し込まれると、保持空洞５８の中に位置している連続する変更球５６のそれぞれが、保持空洞５８における第２のポジションから、ハウジング１２におけるドライバ室における第１のポジションに移動する。次いで、プラグ１６を開始ポジションまで回転させることができ、そのポジションにおいて、第１の鍵３０を鍵穴２４から抜き、第２の鍵６２ｃを鍵穴２４に差し込む（図３３Ａおよび図３３Ｂを参照）。変更具６４が変更溝８８に依然として差し込まれた状態で、インジケータマーク１１４，１４４が再び整列するまで、（図３４Ａおよび図３４Ｂに示したように）プラグ１６をハウジングに対して（１／４回転だけ左回りに）再び回転させる。次いで、変更溝８８から変更具６４を抜き、ドライバ室４０に位置している変更球５６が、ドライバばね２６の力によって、対応する保持空洞５８に押し込まれる（図３５Ａおよび図３５Ｂを参照）。プラグ１６を元のポジションまで回転させると（図３６Ａおよび図３６Ｂを参照）、この時点で第２の鍵６２ｃは錠１０を作動させることができるが、第１の鍵３０ｃは作動させることができない。
【０１１８】
連続する図である図２９Ａ〜図３６Ｂをもう一度参照する。鍵３０ｃおよび鍵６２ｃのそれぞれは、鍵穴に差し込まれたときに、サイドバー１１６の突起１２６がラジアルタンブラ１０４におけるサイドバー切欠き１３０と半径方向に整列する位置まで、ラジアルタンブラ１０４を円周方向に移動させるように構成されている。このポジションにおいては、プラグ１６が錠１０のハウジング１２の中で回転することができるように、サイドバー１１６の突出部１２２を第２の溝１２４から外に出すことができる。
【０１１９】
次に、図３７、図３８、および図４０Ａ〜４０Ｃを参照する。本発明の代替実施形態においては、錠１０ｃは、ピン室１８ａ，１８ｂの複数の列１４６，１４８を有することができる。ピン室１８ａの第１の列１４６は、プラグ１６の縦軸線５４を通る第１の平面１５０に沿って、ハウジング１２およびプラグ１６に配置されている。ピン室１８の第２の列１４８は、プラグ１６の縦軸線５４を通る第２の平面１５２に沿って、ハウジング１２およびプラグに配置されている。第２の平面１５２は、第１の平面１５０から、ある角度だけ隔てられている。ハウジング１２は、ドライバ室４０ａ，４０ｂの複数の列を有し、ドライバ室４０ａは列１４６のピン室の一部を形成しており、ドライバ室４０ｂは列１４８のピン室の一部を形成している。
【０１２０】
プラグ１６は、タンブラ室４２ａ，４２ｂの複数の列を有し、各列は、錠が図３８に示したニュートラルポジションまたは第１の回転ポジションにあるときに、ドライバ室４０ａ，４０ｂの対応する列と整列するように構成されている。さらに、プラグは、保持空洞５８ａ，５８ｂの複数の列と、複数の変更溝８８ａ，８８ｂとを有する。
【０１２１】
ピン室１８のそれぞれは、少なくとも、ドライバ２０と、タンブラ２２と、随意であるが好ましくは変更球５６と、随意であるが好ましくはマスターシム６０とを受け入れるようにされている。
【０１２２】
図示した実施形態の錠は、１列のピン室を有する本発明の第１および第２の実施形態について上述したように作動するが、さらなる必要条件として、図示した錠が作動するためには、変更部材の両方のセットが、各ピン室１８ａ，１８ｂと保持空洞５８ａ，５８ｂとの間で移動する必要がある。
【０１２３】
ピン室の第２の列を設けると、ドライバ２０、タンブラ２２、および変更球５６のスタックの数が増し、錠の変更の組み合わせの数が増大し、これによって、錠１０ｃによって提供される安全性および実用性が高まる。図示した実施形態では、ドライバおよびタンブラのスタックを含んでいるピン室１８の２本の列１４６，１４８を描いてあるが、本発明の錠１０には、そのようなピン室１８のさらなる１列または複数の列を含めることができる。
【０１２４】
また、図３７および図３８に示した錠１０の実施形態は、本発明の代替実施形態について上述したような、記憶ブロック９０、ラジアルタンブラ１０４、サイドバー１１６などの追加の構成要素を含んでいることができる。
【０１２５】
図４１Ａおよび図４１Ｂに示した本発明の代替実施形態においては、錠１０ｄは、プラグ１６における変更防止オリフィスまたは通路１５６の中に置かれておりかつ中で動くことのできる、少なくとも１本の変更防止ピン１５４を含んでいる。変更防止ピン１５４は、第１のポジションを有し、このポジションにおいては、変更防止ピン１５４の第１の端部が縦方向の変更溝８８と交差し、これによって変更溝８８を遮ることができ、これによって、変更具６４またはその他の任意の物体を変更溝８８に完全に挿入することができなくなる。正しい第１の鍵３０ｄは、変更防止溝１５８を備えており、この溝は、変更防止ピン１５４が第２のポジションにあるときに、変更防止ピン１５４の第２の端部と位置が合う。鍵穴に鍵３０ｄが差し込まれている状態では、変更具６４を変更溝８８にスムーズに差し込んで、変更防止ピン１５４をその第２のポジションに動かすことができる。
【０１２６】
変更可能な錠アセンブリの実施形態は、さまざまな施錠装置において使用することができる。これらの施錠装置としては、店舗および住宅用の錠の両方を含み、例えば、ノブ錠、デッドボルト錠、南京錠が挙げられる。一般的なノブ錠を作動させるには、プラグのラッチ端部１５に固定されているラッチを回すことによってドアノブの開錠と施錠の両方を行う作動鍵を使用する。一般には、ラッチによってドアノブが開錠された後、ドアノブを手で回す、または回転させることができ、これによって、施錠するドアまたはその他の対象物のわき柱と係合およびわき柱からはずれる細長いボルトを作動させることができる。一般的なデッドボルト錠を作動させるには、施錠するドアまたはその他の対象物のわき柱と係合およびわき柱からはずれる細長いボルトを駆動するラッチを、作動鍵を使用してロック解除して回転させる。これらの錠は、当業者には周知である。
【０１２７】
一般的な南京錠を作動させるには、作動鍵を使用してＪ形状のシャックルをロック解除させる。施錠ポジションにある一般的な南京錠においては、錠本体内のボルト（または一対のボルト）が、シャックルの各レッグにおける溝の中に付勢されており、シャックルが確実に拘束されて本体から抜けないようにされている。一般的な南京錠の設計および動作は、米国特許第３，７１０，６０３号明細書（Ｍｉｌｌｅｒ）および米国特許第４，７７６，１８７号明細書（Ｅｖａｎｓら）に記載されており、両文書は、参考とすることにより本文書に組み込まれている。南京錠は、一般には、鍵とプラグの回転によって１本以上のボルトが溝からはずれ、これによってシャックルを本体から抜くことができるように構成されている。従来の一般的な南京錠は、差し込まれた鍵が一方向のみに回転してシャックルがロック解除されるように構成されており、一般には、ボルト、プラグ、および鍵を、その初期ポジションまたは「鍵差込み」ポジションの方に付勢する、ばねまたはその他
の手段が設けられている。
【０１２８】
本発明の南京錠は、第１の方向（一般には鍵穴に向かって右回り）と第２の方向の両方に回転するように構成されている、変更可能な錠アセンブリを備えている。図４４Ａ、図４４Ｂ、および図４４Ｃは、それぞれ、初期ポジション、第２の方向に回転したとき、および第１の方向に回転したときの、南京錠のプラグの端面図を示している。プラグを、図４４Ａに示した第１のポジションから、第１の方向に、図４４Ｃに示した第２の開錠ポジションに回転させると、南京錠を開錠することができる。従来の南京錠と同様に、この錠は、一般には、回転したプラグを最初の「鍵差込み」ポジションに戻すばね手段または付勢手段を備えて構成されている。プラグを、図４４Ａに示した第１のポジションから、第２の方向に、図４４Ｂに示した再プログラムポジションに回転させると、本明細書に上述した本発明に従って、錠を再プログラムすることができる。プラグが第２の方向に回転したときには南京錠が開錠されないことが好ましい。プラグが第２の方向に回転したときに南京錠が開錠されることを回避する目的で、プラグのラッチ回転端部１５に、ほぼ円形のベース２１７から延びているシャフト２１８を備えている尾部（ｔａｉｌｐｉｅｃｅ）またはラッチ２１６が設けられている。ベース２１７は、ベース２１７を形成しているねじナットによってラッチ端部１５に回転自在に保持されている。ベース２１７は、（一般には周囲の約１／４〜１／３の）開いたくさび状部分２１９によって定義されているフォワード面２２２とリバース面２２４とを有する。ラッチ端部１５から延びている停止ピン２２０は、フォワード面２２２とリバース面２２４との間の開いた部分２１９の範囲内に、ラッチ２１６の回転を制限することができる。
【０１２９】
錠において鍵を操作するとき、プラグの中で鍵を右に回転させると、プラグが回転し、ラッチ２１６の前面２２２に停止ピン２２０が当たり、これによって、図４４Ｃに示したようにラッチが右方向に回転する。ラッチのこの回転により、シャックルにおける溝から１本以上のボルトがはずれて、南京錠が開錠される。ラッチ、プラグ、および差し込まれている鍵は、ばねまたはその他の付勢手段（図示していない）によって、初期ポジションまで回転する。
【０１３０】
一般的な南京錠のラッチ２１６は、左方向への回転が阻止されるように構成されている。図４４Ｂに示したように、鍵によってプラグが左回りに第２の回転ポジションまたはプログラムポジションまで回転すると、拘束されているラッチ２１６の開いた部分２１９の中で停止ピン２２０が自由に動くことができる。この配置構成は、従来、「レイジーカム（ｌａｚｙ  ｃａｍ）」と称されており、カムまたは尾部は、シリンダプラグがある程度回転しても固定されたままであるように構成されている。
【０１３１】
随意に、プラグが第２の方向に回転したときに、南京錠を開錠するようにすることもでき、ただし、南京錠のこの開錠プロセスによって、変更可能な錠アセンブリの再プログラムが複雑になることがある。
【０１３２】
本発明の南京錠においては、プラグを、ハウジングの中で図４４Ｂに示した第２の回転ポジションに置くことができ、このポジションにおいては、保持空洞および変更溝がドライバ室と整列するかまたは位置が合う。南京錠の錠構成は、変更可能な錠アセンブリの第２の実施形態について本明細書の中で前述したように、ユーザ鍵のサブセットにおける別のユーザ鍵によって作動するように、変更具を使用して再プログラムすることができる。これに代えて、南京錠の錠構成は、変更可能な錠アセンブリの第１の実施形態について本明細書の中で前述したように、異なるが補足的なユーザ鍵を順に使用することによって作動するように構成することができる。ユーザ鍵のそれぞれは、変更球をピン室から保持空洞に移動させることによって、鍵のサブセットのうち、変更部材の現在の数および構成よりも少ない数および構成を動かすように構成されているユーザ鍵が錠を作動させることが
できないようにすることによって、使用する錠を再プログラムすることができる。
【０１３３】
ここまで、本発明の好ましい実施形態の詳細を参照することによって、本発明を開示した。しかしながら、当業者には、本発明の精神、および添付の請求項の範囲内で容易に変更を行うことができるものと予測され、従って、この開示は、本発明を制限するものではなく説明を目的とするものであることを理解されたい。
【図面の簡単な説明】
【０１３４】
【図１】本発明の錠アセンブリの１つの実施形態の構成要素の分解斜視図である。
【図２Ａ】本発明の錠アセンブリのハウジングの断面図とプラグの側面図であり、第１の作動鍵が鍵穴に差し込まれているときの一連の変更部材および保持空洞を示している。
【図２Ｂ】図２Ａの線２Ｂ−２Ｂに沿って切断したときの、ハウジングおよびプラグの断面図である。
【図３Ａ】錠アセンブリのハウジングの断面図とプラグの側面図であり、第２の鍵が鍵穴に差し込まれているときの変更部材および保持空洞の配置を示している。
【図３Ｂ】図３Ａの線３Ｂ−３Ｂに沿って切断したときの、ハウジングおよびプラグの断面図である。
【図４Ａ】錠アセンブリのハウジングの断面図とプラグの側面図であり、第２の鍵が差し込まれて１／４回転だけ右回りに回転した状態を示している。
【図４Ｂ】図４Ａの線４Ｂ−４Ｂに沿って切断したときの、ハウジングおよびプラグの断面図である。
【図５Ａ】錠アセンブリのハウジングの断面図とプラグの側面図であり、プラグが回転して元のポジションに戻り、第２の鍵が依然として鍵穴に差し込まれている状態を示している。
【図５Ｂ】図５Ａの線５Ｂ−５Ｂに沿って切断したときの、ハウジングおよびプラグの断面図である。
【図６Ａ】錠アセンブリのハウジングの断面図とプラグの側面図であり、この時点では作動不能な第１の鍵が鍵穴に差し込まれている状態を示している。
【図６Ｂ】図６Ａの線６Ｂ−６Ｂに沿って切断したときの、ハウジングおよびプラグの断面図である。
【図７Ａ】錠アセンブリのハウジングの断面図とプラグの側面図であり、第３の鍵が鍵穴に差し込まれているときの変更部材および保持空洞の配置を示している。
【図７Ｂ】図７Ａの線７Ｂ−７Ｂに沿って切断したときの、ハウジングおよびプラグの断面図である。
【図８Ａ】錠アセンブリのハウジングの断面図とプラグの側面図であり、第３の鍵が差し込まれて１／４回転だけ右回りに回転した状態を示している。
【図８Ｂ】図８Ａの線８Ｂ−８Ｂに沿って切断したときの、ハウジングおよびプラグの断面図である。
【図９Ａ】錠アセンブリのハウジングの断面図とプラグの側面図であり、プラグが回転して元のポジションに戻り、第３の鍵が依然として鍵穴に差し込まれている状態を示している。
【図９Ｂ】図８Ａの線８Ｂ−８Ｂに沿って切断したときの、ハウジングおよびプラグの断面図である。
【図１０Ａ】錠アセンブリのハウジングの断面図とプラグの側面図であり、この時点では作動不能な第２の鍵が鍵穴に差し込まれている状態を示している。
【図１０Ｂ】図１０Ａの線１０Ｂ−１０Ｂに沿って切断したときの、ハウジングおよびプラグの断面図である。
【図１１Ａ】錠アセンブリのハウジングの断面図とプラグの側面図であり、第３の鍵が鍵穴に差し込まれており、プラグが１／４回転だけ回転しており、変更具が変更溝に差し込まれている状態を示している。
【図１１Ｂ】図１１Ａの線１１Ｂ−１１Ｂに沿って切断したときの、ハウジングおよびプラグの断面図である。
【図１２Ａ】錠アセンブリのハウジングの断面図とプラグの側面図であり、プラグが回転して元のポジションに戻り、第１の鍵が鍵穴に差し込まれており、変更具が変更溝から抜かれて、第１の鍵が再び作動可能になっている状態を示している。
【図１２Ｂ】図１２Ａの線１２Ｂ−１２Ｂに沿って切断したときの、ハウジングおよびプラグの断面図である。
【図１３Ａ】錠アセンブリを作動させる第４の鍵の側面斜視図であり、錠アセンブリの特定の変更部材を持ち上げる上部輪郭を示している。
【図１３Ｂ】錠アセンブリを作動させる第５の鍵の側面斜視図であり、錠アセンブリの特定の変更部材を持ち上げる上部輪郭を示している。
【図１３Ｃ】錠アセンブリを作動させる第６の鍵の側面斜視図であり、錠アセンブリの特定の変更部材を持ち上げる上部輪郭を示している。
【図１３Ｄ】錠アセンブリを作動させる第７の鍵の側面斜視図であり、錠アセンブリの特定の変更部材を持ち上げる上部輪郭を示している。
【図１４Ａ】錠アセンブリの１つの実施形態のハウジングの断面図とプラグの側面図であり、親鍵が鍵穴に差し込まれている状態を示している。
【図１４Ｂ】図１４Ａの線１４Ｂ−１４Ｂに沿って切断したときの、ハウジングおよびプラグの断面図である。
【図１５Ａ】錠アセンブリの１つの実施形態のハウジングの断面図とプラグの側面図であり、親鍵が鍵穴に差し込まれており、１／４回転だけ回転している状態を示している。
【図１５Ｂ】図１５Ａの線１５Ｂ−１５Ｂに沿って切断したときの、ハウジングおよびプラグの断面図である。
【図１６Ａ】錠アセンブリの第２の実施形態を示している。ハウジングの断面図とプラグの側面図を示しており、第１の作動鍵が鍵穴に差し込まれているときの一連の変更部材および保持空洞を示している。
【図１６Ｂ】図１６Ａの線１６Ｂ−１６Ｂに沿って切断したときの、ハウジングおよびプラグの断面図である。
【図１７Ａ】錠アセンブリのハウジングの断面図とプラグの側面図であり、第１の鍵が鍵穴に差し込まれており、プラグが１／４回転だけ回転し、変更具が変更溝に差し込まれている状態を示している。
【図１７Ｂ】図１７Ａの線１７Ｂ−１７Ｂに沿って切断したときの、ハウジングおよびプラグの断面図である。
【図１８Ａ】錠アセンブリのハウジングの断面図とプラグの側面図であり、プラグが回転して元のポジションに戻り、第２の鍵が鍵穴に差し込まれており、変更具が依然として変更溝に差し込まれている状態を示している。
【図１８Ｂ】図１８Ａの線１８Ｂ−１８Ｂに沿って切断したときの、ハウジングおよびプラグの断面図である。
【図１９Ａ】錠アセンブリのハウジングの断面図とプラグの側面図であり、第２の鍵が鍵穴に差し込まれており、プラグが１／４回転だけ回転しており、変更具が変更溝に差し込まれている状態を示している。
【図１９Ｂ】図１９Ａの線１９Ｂ−１９Ｂに沿って切断したときの、ハウジングおよびプラグの断面図である。
【図２０Ａ】錠アセンブリのハウジングの断面図とプラグの側面図であり、プラグが回転して元のポジションに戻り、第２の鍵が鍵穴に差し込まれており、変更具が変更溝から抜かれた状態を示している。
【図２０Ｂ】図２０Ａの線２０Ｂ−２０Ｂに沿って切断したときの、ハウジングおよびプラグの断面図である。
【図２１Ａ】錠アセンブリのハウジングの断面図とプラグの側面図であり、第２の鍵が鍵穴から抜かれて、この時点では作動不能な第１の鍵が鍵穴に差し込まれている状態を示している。
【図２１Ｂ】図２１Ａの線２１Ｂ−２１Ｂに沿って切断したときの、ハウジングおよびプラグの断面図である。
【図２２Ａ】錠アセンブリを作動させる第３の鍵の側面斜視図であり、特定の変更部材を持ち上げる上部輪郭を示している。
【図２２Ｂ】錠アセンブリを作動させる第４の鍵の側面斜視図であり、特定の変更部材を持ち上げる上部輪郭を示している。
【図２２Ｃ】錠アセンブリを作動させる第５の鍵の側面斜視図であり、特定の変更部材を持ち上げる上部輪郭を示している。
【図２２Ｄ】錠アセンブリを作動させる第６の鍵の側面斜視図であり、特定の変更部材を持ち上げる上部輪郭を示している。
【図２２Ｅ】錠アセンブリを作動させる第７の鍵の側面斜視図であり、特定の変更部材を持ち上げる上部輪郭を示している。
【図２２Ｆ】錠アセンブリを作動させる第８の鍵の側面斜視図であり、特定の変更部材を持ち上げる上部輪郭を示している。
【図２２Ｇ】錠アセンブリを作動させる第９の鍵の側面斜視図であり、特定の変更部材を持ち上げる上部輪郭を示している。
【図２２Ｈ】錠アセンブリを作動させる第１０の鍵の側面斜視図であり、特定の変更部材を持ち上げる上部輪郭を示している。
【図２２Ｊ】錠アセンブリを作動させる第１１の鍵の側面斜視図であり、特定の変更部材を持ち上げる上部輪郭を示している。
【図２２Ｋ】錠アセンブリを作動させる第１２の鍵の側面斜視図であり、特定の変更部材を持ち上げる上部輪郭を示している。
【図２２Ｌ】錠アセンブリを作動させる第１３の鍵の側面斜視図であり、特定の変更部材を持ち上げる上部輪郭を示している。
【図２２Ｍ】錠アセンブリを作動させる第１４の鍵の側面斜視図であり、特定の変更部材を持ち上げる上部輪郭を示している。
【図２２Ｎ】錠アセンブリを作動させる第１５の鍵の側面斜視図であり、特定の変更部材を持ち上げる上部輪郭を示している。
【図２３Ａ】本発明の錠アセンブリの別の実施形態のハウジングの断面図とプラグの側面図であり、閉じた位置における記憶ブロックと、鍵穴に差し込まれている作動可能な第１の鍵とを示している。
【図２３Ｂ】図２３Ａの線２３Ｂ−２３Ｂに沿って切断したときの、ハウジングおよびプラグの断面図である。
【図２４Ａ】錠アセンブリのハウジングの断面図とプラグの側面図であり、第１の鍵が差し込まれて１／４回転だけ右回りに回転しており、変更具が差し込まれて、記憶ブロックが保持空洞から離れた位置に動いた状態を示している。
【図２４Ｂ】図２４Ａの線２４Ｂ−２４Ｂに沿って切断したときの、ハウジングおよびプラグの断面図である。
【図２５Ａ】錠アセンブリのハウジングの断面図とプラグの側面図であり、プラグが回転して元のポジションに戻り、第２の鍵が差し込まれており、変更具が変更溝に差し込まれ、これによって記憶ブロックが開いている状態を示している。
【図２５Ｂ】図２５Ａの線２５Ｂ−２５Ｂに沿って切断したときの、ハウジングおよびプラグの断面図である。
【図２６Ａ】錠アセンブリのハウジングの断面図とプラグの側面図であり、第２の鍵と変更具の両方が差し込まれており、記憶ブロックが開いており、プラグが１／４回転だけ回転している状態を示している。
【図２６Ｂ】図２６Ａの線２６Ｂ−２６Ｂに沿って切断したときの、ハウジングおよびプラグの断面図である。
【図２７Ａ】錠アセンブリのハウジングの断面図とプラグの側面図であり、第２の鍵がプラグに差し込まれており、プラグが１／４回転だけ回転しており、変更具が変更溝から抜かれた状態を示している。
【図２７Ｂ】図２７Ａの線２７Ｂ−２７Ｂに沿って切断したときの、ハウジングおよびプラグの断面図である。
【図２８Ａ】錠アセンブリのハウジングの断面図とプラグの側面図であり、プラグが回転して元のポジションに戻り、変更具が抜かれて、この時点では作動可能な第２の鍵が鍵穴に差し込まれている状態を示している。
【図２８Ｂ】図２８Ａの線２８Ｂ−２８Ｂに沿って切断したときの、ハウジングおよびプラグの断面図である。
【図２９Ａ】錠アセンブリのハウジングの断面図とプラグの側面図であり、一連のラジアルタンブラと変更部材とを有し、プラグが元のポジションにあり、鍵が差し込まれていない状態を示している。
【図２９Ｂ】図２９Ａの線２９Ｂ−２９Ｂに沿って切断したときの、ハウジングおよびプラグの断面図と、ラジアルタンブラの平面図である。
【図３０Ａ】錠アセンブリのハウジングの断面図とプラグの側面図であり、第１の鍵が鍵穴に差し込まれているときのラジアルタンブラおよび変更部材の配置を示している。
【図３０Ｂ】図３０Ａの線３０Ｂ−３０Ｂに沿って切断したときの、ハウジングおよびプラグの断面図と、ラジアルタンブラの平面図である。
【図３１Ａ】錠アセンブリのハウジングの断面図とプラグの側面図であり、第１の鍵が差し込まれて１／４回転だけ左回りに回転した状態を示している。
【図３１Ｂ】図３１Ａの線３１Ｂ−３１Ｂに沿って切断したときの、ハウジングおよびプラグの断面図と、ラジアルタンブラの平面図である。
【図３２Ａ】錠アセンブリのハウジングの断面図とプラグの側面図であり、第１の鍵が差し込まれて１／４回転だけ左回りに回転しており、変更具が変更溝に差し込まれている状態を示している。
【図３２Ｂ】図３２Ａの線３２Ｂ−３２Ｂに沿って切断したときの、ハウジングおよびプラグの断面図と、ラジアルタンブラの平面図である。
【図３３Ａ】錠アセンブリのハウジングの断面図とプラグの側面図であり、プラグが回転して元のポジションに戻り、第１の鍵が抜かれて第２の鍵が鍵穴に差し込まれており、変更具が依然として変更溝に差し込まれている状態を示している。
【図３３Ｂ】図３３Ａの線３３Ｂ−３３Ｂに沿って切断したときの、ハウジングおよびプラグの断面図と、ラジアルタンブラの平面図である。
【図３４Ａ】錠アセンブリのハウジングの断面図とプラグの側面図であり、第２の鍵が鍵穴に差し込まれており、プラグが１／４回転だけ左回りに回転しており、変更具が変更溝に差し込まれている状態を示している。
【図３４Ｂ】図３４Ａの線３４Ｂ−３４Ｂに沿って切断したときの、ハウジングおよびプラグの断面図と、ラジアルタンブラの平面図である。
【図３５Ａ】錠アセンブリのハウジングの断面図とプラグの側面図であり、第２の鍵が鍵穴に差し込まれており、プラグが１／４回転だけ左回りに回転しており、変更具が変更溝から抜かれた状態を示している。
【図３５Ｂ】図３５Ａの線３５Ｂ−３５Ｂに沿って切断したときの、ハウジングおよびプラグの断面図と、ラジアルタンブラの平面図である。
【図３６Ａ】錠アセンブリのハウジングの断面図とプラグの側面図であり、プラグが回転して元のポジションに戻り、第２の鍵が依然として差し込まれており、変更部材が新しい構成にリセットされた状態を示している。
【図３６Ｂ】図３６Ａの線３６Ｂ−３６Ｂに沿って切断したときの、ハウジングおよびプラグの断面図と、ラジアルタンブラの平面図である。
【図３７】ドライバおよびタンブラの２組のスタックを保持する２組のピン室を有する、本発明の錠アセンブリの実施形態の構成要素の分解斜視図である。
【図３８】２組の個別のピン室とドライバおよびタンブラのスタックとを有する実施形態における、錠アセンブリのプラグおよびハウジングの端部断面図である。
【図３９Ａ】本発明の錠に適合する縁輪郭および縦輪郭を有する鍵の側面斜視図である。
【図３９Ｂ】図３９Ａの線３９Ｂ−３９Ｂに沿った、鍵の端面図である。
【図３９Ｃ】図３９Ａの線３９Ｃ−３９Ｃに沿って切断したときの、鍵の断面図である。
【図４０Ａ】２組の個別のピン室を有するプラグの鍵穴に嵌まるＹ形状を有する鍵であって、本発明の錠に適合化されている上縁輪郭および縦輪郭を有する鍵、の側面斜視図である。
【図４０Ｂ】図４０Ａの線４０Ｂ−４０Ｂに沿った、鍵の端面図である。
【図４０Ｃ】図４０Ａの線４０Ｃ−４０Ｃに沿って切断したときの、鍵の断面図である。
【図４１Ａ】変更防止ピンを有する、本発明の錠の実施形態のハウジングの断面図とプラグの側面図である。
【図４１Ｂ】図４１Ａの線４１Ｂ−４１Ｂに沿って切断したときの、ハウジングおよびプラグの断面図と、変更防止ピンの平面図である。
【図４２】プラグポジショニング手段を有する、本発明の錠アセンブリの実施形態の構成要素の分解斜視図を示している。
【図４３Ａ】プラグポジショニング手段を有する本発明の錠の実施形態の、図４２の線４３−４３に沿って切断したときのプラグおよびハウジングの断面図であり、プラグが鍵差込みポジションにある状態を示している。
【図４３Ｂ】プラグポジショニング手段を有する本発明の錠の実施形態の、図４２の線４３−４３に沿って切断したときのプラグおよびハウジングの断面図であり、プラグが錠プログラムポジションにある状態を示している。
【図４４Ａ】ラッチを有する本発明の南京錠の実施形態のプラグの端面図であり、レイジーカムが初期ポジションにある状態を示している。
【図４４Ｂ】再プログラムポジションにおける、図４４Ａのプラグの端面図を示している。
【図４４Ｃ】第２の開錠ポジションにおける、図４４Ａのプラグの端面図を示している。
【図１】
2006528739.tif 000003
【図２Ａ】
2006528739.tif 000004
【図２Ｂ】
2006528739.tif 000005
【図３Ａ】
2006528739.tif 000006
【図３Ｂ】
2006528739.tif 000007
【図４Ａ】
2006528739.tif 000008
【図４Ｂ】
2006528739.tif 000009
【図５Ａ】
2006528739.tif 000010
【図５Ｂ】
2006528739.tif 000011
【図６Ａ】
2006528739.tif 000012
【図６Ｂ】
2006528739.tif 000013
【図７Ａ】
2006528739.tif 000014
【図７Ｂ】
2006528739.tif 000015
【図８Ａ】
2006528739.tif 000016
【図８Ｂ】
2006528739.tif 000017
【図９Ａ】
2006528739.tif 000018
【図９Ｂ】
2006528739.tif 000019
【図１０Ａ】
2006528739.tif 000020
【図１０Ｂ】
2006528739.tif 000021
【図１１Ａ】
2006528739.tif 000022
【図１１Ｂ】
2006528739.tif 000023
【図１２Ａ】
2006528739.tif 000024
【図１２Ｂ】
2006528739.tif 000025
【図１３Ａ】
2006528739.tif 000026
【図１３Ｂ】
2006528739.tif 000027
【図１３Ｃ】
2006528739.tif 000028
【図１３Ｄ】
2006528739.tif 000029
【図１４Ａ】
2006528739.tif 000030
【図１４Ｂ】
2006528739.tif 000031
【図１５Ａ】
2006528739.tif 000032
【図１５Ｂ】
2006528739.tif 000033
【図１６Ａ】
2006528739.tif 000034
【図１６Ｂ】
2006528739.tif 000035
【図１７Ａ】
2006528739.tif 000036
【図１７Ｂ】
2006528739.tif 000037
【図１８Ａ】
2006528739.tif 000038
【図１８Ｂ】
2006528739.tif 000039
【図１９Ａ】
2006528739.tif 000040
【図１９Ｂ】
2006528739.tif 000041
【図２０Ａ】
2006528739.tif 000042
【図２０Ｂ】
2006528739.tif 000043
【図２１Ａ】
2006528739.tif 000044
【図２１Ｂ】
2006528739.tif 000045
【図２２Ａ】
2006528739.tif 000046
【図２２Ｂ】
2006528739.tif 000047
【図２２Ｃ】
2006528739.tif 000048
【図２２Ｄ】
2006528739.tif 000049
【図２２Ｅ】
2006528739.tif 000050
【図２２Ｆ】
2006528739.tif 000051
【図２２Ｇ】
2006528739.tif 000052
【図２２Ｈ】
2006528739.tif 000053
【図２２Ｊ】
2006528739.tif 000054
【図２２Ｋ】
2006528739.tif 000055
【図２２Ｌ】
2006528739.tif 000056
【図２２Ｍ】
2006528739.tif 000057
【図２２Ｎ】
2006528739.tif 000058
【図２３Ａ】
2006528739.tif 000059
【図２３Ｂ】
2006528739.tif 000060
【図２４Ａ】
2006528739.tif 000061
【図２４Ｂ】
2006528739.tif 000062
【図２５Ａ】
2006528739.tif 000063
【図２５Ｂ】
2006528739.tif 000064
【図２６Ａ】
2006528739.tif 000065
【図２６Ｂ】
2006528739.tif 000066
【図２７Ａ】
2006528739.tif 000067
【図２７Ｂ】
2006528739.tif 000068
【図２８Ａ】
2006528739.tif 000069
【図２８Ｂ】
2006528739.tif 000070
【図２９Ａ】
2006528739.tif 000071
【図２９Ｂ】
2006528739.tif 000072
【図３０Ａ】
2006528739.tif 000073
【図３０Ｂ】
2006528739.tif 000074
【図３１Ａ】
2006528739.tif 000075
【図３１Ｂ】
2006528739.tif 000076
【図３２Ａ】
2006528739.tif 000077
【図３２Ｂ】
2006528739.tif 000078
【図３３Ａ】
2006528739.tif 000079
【図３３Ｂ】
2006528739.tif 000080
【図３４Ａ】
2006528739.tif 000081
【図３４Ｂ】
2006528739.tif 000082
【図３５Ａ】
2006528739.tif 000083
【図３５Ｂ】
2006528739.tif 000084
【図３６Ａ】
2006528739.tif 000085
【図３６Ｂ】
2006528739.tif 000086
【図３７】
2006528739.tif 000087
【図３８】
2006528739.tif 000088
【図３９Ａ】
2006528739.tif 000089
【図３９Ｂ】
2006528739.tif 000090
【図３９Ｃ】
2006528739.tif 000091
【図４０Ａ】
2006528739.tif 000092
【図４０Ｂ】
2006528739.tif 000093
【図４０Ｃ】
2006528739.tif 000094
【図４１Ａ】
2006528739.tif 000095
【図４１Ｂ】
2006528739.tif 000096
【図４２】
2006528739.tif 000097
【図４３Ａ】
2006528739.tif 000098
【図４３Ｂ】
2006528739.tif 000099
【図４４Ａ】
2006528739.tif 000100
【図４４Ｂ】
2006528739.tif 000101
【図４４Ｃ】
2006528739.tif 000102
【国際調査報告】
2006528739.tif 000103